(57)【特許請求の範囲】
【請求項１】
視認面を備えた視認面構成部材と、該視認面構成部材に対して前記視認面側に位置する対象物体の位置を検出する光学式位置検出装置と、を有する位置検出機能付き機器であって、
前記光学式位置検出装置は、前記視認面側に検出光を出射する複数の検出用光源部と、前記検出光が出射される検出光出射空間に位置する前記対象物体で反射した前記検出光を受光する光検出部と、前記複数の検出用光源部を順次点灯させる光源駆動部と、前記複数の検出用光源部が順次点灯した際の前記光検出部の受光結果に基づいて前記対象物体の位置を検出する位置検出部と、を有し、
前記検出用光源部は、前記検出光出射空間からみたとき当該検出光出射空間の中央側から外側に向かって中心光軸が並ぶ複数の発光素子を備え、
前記光源駆動部は、前記複数の発光素子のうちの一部の発光素子を点灯させる第１モードと、前記複数の発光素子のうちの少なくとも前記第１モードとは別の発光素子を点灯させる第２モードと、を実行し、前記第１モードでは、前記複数の発光素子のうちの一部の発光素子を点灯させ、前記第２モードでは、前記第１モードで点灯する発光素子および前記第１モードとは別の発光素子を同時に点灯させ、
前記検出光出射空間からみたとき、
前記光検出部は、前記複数の検出用光源部で囲まれた位置に配置され、かつ、前記検出用光源部において前記複数の発光素子は前記光検出部に近い位置から離間する方向に向けて直線的に配列されており、
前記第１モードでは、前記複数の発光素子のうち、当該第１モードで点灯せずに前記第２モードで点灯する発光素子よりも前記光検出部に近い位置の発光素子が点灯することを特徴とする位置検出機能付き機器。
【請求項２】
視認面を備えた視認面構成部材と、該視認面構成部材に対して前記視認面側に位置する対象物体の位置を検出する光学式位置検出装置と、を有する位置検出機能付き機器であって、
前記光学式位置検出装置は、前記視認面側に検出光を出射する複数の検出用光源部と、前記検出光が出射される検出光出射空間に位置する前記対象物体で反射した前記検出光を受光する光検出部と、前記複数の検出用光源部を順次点灯させる光源駆動部と、前記複数の検出用光源部が順次点灯した際の前記光検出部の受光結果に基づいて前記対象物体の位置を検出する位置検出部と、を有し、
前記検出用光源部は、前記検出光出射空間からみたとき当該検出光出射空間の中央側から外側に向かって中心光軸が並ぶ複数の発光素子を備え、
前記光源駆動部は、前記複数の発光素子のうちの一部の発光素子を点灯させる第１モードと、前記複数の発光素子のうちの少なくとも前記第１モードとは別の発光素子を点灯させる第２モードと、を実行し、前記第１モードでは、前記複数の発光素子のうちの一部の発光素子を点灯させ、前記第２モードでは、前記第１モードで点灯する発光素子および前記第１モードとは別の発光素子を同時に点灯させ、
前記検出光の出射側からみたとき、
前記検出用光源部において前記複数の発光素子の中心光軸は、前記出射空間の内側から外側に向けて直線的に配列されており、
前記第１モードでは、前記複数の発光素子のうち、当該第１モードで点灯せずに前記第２モードで点灯する発光素子よりも前記出射空間の内側に中心光軸を向ける発光素子が点灯することを特徴とする位置検出機能付き機器。
【請求項３】
視認面を備えた視認面構成部材と、該視認面構成部材に対して前記視認面側に位置する対象物体の位置を検出する光学式位置検出装置と、を有する位置検出機能付き機器であって、
前記光学式位置検出装置は、前記視認面側に検出光を出射する複数の検出用光源部と、前記検出光が出射される検出光出射空間に位置する前記対象物体で反射した前記検出光を受光する光検出部と、前記複数の検出用光源部を順次点灯させる光源駆動部と、前記複数の検出用光源部が順次点灯した際の前記光検出部の受光結果に基づいて前記対象物体の位置を検出する位置検出部と、を有し、
前記検出用光源部は、前記検出光出射空間からみたとき当該検出光出射空間の中央側から外側に向かって中心光軸が並ぶ複数の発光素子を備え、
前記光源駆動部は、前記複数の発光素子のうちの一部の発光素子を点灯させる第１モードと、前記複数の発光素子のうちの少なくとも前記第１モードとは別の発光素子を点灯させる第２モードと、を実行し、前記第１モードでは、前記複数の発光素子のうちの一部の発光素子を点灯させ、前記第２モードでは、前記第１モードで点灯する発光素子および前記第１モードとは別の発光素子を同時に点灯させ、
前記第２モードで点灯する前記発光素子のうち、前記１モードで消灯状態にあった発光素子は、前記第１モードで点灯状態にあった発光素子よりも前記検出光の出射強度が大であることを特徴とする位置検出機能付き機器。
【請求項４】
視認面を備えた視認面構成部材と、該視認面構成部材に対して前記視認面側に位置する対象物体の位置を検出する光学式位置検出装置と、を有する位置検出機能付き機器であって、
前記光学式位置検出装置は、前記視認面側に検出光を出射する複数の検出用光源部と、前記検出光が出射される検出光出射空間に位置する前記対象物体で反射した前記検出光を受光する光検出部と、前記複数の検出用光源部を順次点灯させる光源駆動部と、前記複数の検出用光源部が順次点灯した際の前記光検出部の受光結果に基づいて前記対象物体の位置を検出する位置検出部と、を有し、
前記検出用光源部は、前記検出光出射空間からみたとき当該検出光出射空間の中央側から外側に向かって中心光軸が並ぶ複数の発光素子を備え、
前記光源駆動部は、前記複数の発光素子のうちの一部の発光素子を点灯させる第１モードと、前記複数の発光素子のうちの少なくとも前記第１モードとは別の発光素子を点灯させる第２モードと、を実行し、前記第１モードでは、前記複数の発光素子のうちの一部の発光素子を点灯させ、前記第２モードでは、前記第１モードで点灯する発光素子および前記第１モードとは別の発光素子を同時に点灯させ、
前記複数の検出用光源部には、前記出射空間を挟む両側で互いに逆向きの方向に前記検出光を出射する検出用光源部が含まれていることを特徴とする位置検出機能付き機器。
【請求項５】
視認面を備えた視認面構成部材と、該視認面構成部材に対して前記視認面側に位置する対象物体の位置を検出する光学式位置検出装置と、を有する位置検出機能付き機器であって、
前記光学式位置検出装置は、前記視認面側に検出光を出射する複数の検出用光源部と、前記検出光が出射される検出光出射空間に位置する前記対象物体で反射した前記検出光を受光する光検出部と、前記複数の検出用光源部を順次点灯させる光源駆動部と、前記複数の検出用光源部が順次点灯した際の前記光検出部の受光結果に基づいて前記対象物体の位置を検出する位置検出部と、
前記出射空間を介さずに前記光検出部に入射する参照光を出射する参照用光源と、を有し、
前記検出用光源部は、前記検出光出射空間からみたとき当該検出光出射空間の中央側から外側に向かって中心光軸が並ぶ複数の発光素子を備え、
前記位置検出部は、前記光検出部の受光結果に基づいて前記複数の検出用光源部のうちの一部の検出用光源部と前記参照用光源とを組み合わせを変えて差動させた結果に基づいて前記対象物体の位置を検出することを特徴とする位置検出機能付き機器。
【請求項６】
前記光源駆動部は、前記複数の発光素子のうちの一部の発光素子を点灯させる第１モードと、前記複数の発光素子のうちの少なくとも前記第１モードとは別の発光素子を点灯させる第２モードと、を実行し、前記第１モードでは、前記複数の発光素子のうちの一部の発光素子を点灯させ、前記第２モードでは、前記第１モードで点灯する発光素子および前記第１モードとは別の発光素子を同時に点灯させることを特徴とする請求項５に記載の位置検出機能付き機器。
【請求項７】
前記光源駆動部は、前記第１モードでは、前記複数の発光素子のうちの１つの発光素子を点灯させ、前記第２モードでは前記第１モードで点灯する発光素子を含む２つ以上の発光素子を同時に点灯させることを特徴とする請求項１乃至６の何れか一項に記載の位置検出機能付き機器。
【請求項８】
前記複数の検出用光源部は、いずれも同一方向に前記検出光を出射することを特徴とする請求項１乃至７の何れか一項に記載の位置検出機能付き機器。
【請求項９】
前記位置検出部は、前記光検出部の受光結果に基づいて前記複数の検出用光源部のうちの一部の検出用光源と他の一部の検出用光源とを差動させた結果に基づいて前記対象物体の位置を検出することを特徴とする請求項１乃至８の何れか一項に記載の位置検出機能付き機器。
【請求項１０】
前記検出光は赤外光であることを特徴とする請求項１乃至９の何れか一項に記載の位置検出機能付き機器。
【請求項１１】
前記視認面構成部材は、情報としての画像を表示する直視型画像生成装置であり、
前記視認面は、前記直視型画像生成装置において前記画像が表示される画像表示面であることを特徴とする請求項１乃至１０の何れか一項に記載の位置検出機能付き機器。
【請求項１２】
前記視認面構成部材はスクリーンであり、
前記視認面は、前記スクリーンにおいて情報が視認されるスクリーン面であることを特徴とする請求項１乃至１１の何れか一項に記載の位置検出機能付き機器。
【請求項１３】
前記スクリーンに対して前記視認面側とは反対側に前記検出用光源部および前記光検出部が配置されていることを特徴とする請求項１２に記載の位置検出機能付き機器。
【請求項１４】
前記スクリーンに対して前記視認面側に、前記スクリーンに向けて画像を投射する画像投射装置を備え、
当該画像投射装置に前記検出用光源部および前記光検出部が配置されていることを特徴とする請求項１２に記載の位置検出機能付き機器。
【請求項１５】
前記視認面構成部材は、展示品を覆う透光部材であり、
前記視認面は、前記透光部材において前記展示品が配置される側とは反対側で当該展示品が視認される面であることを特徴とする請求項１乃至１０の何れか一項に記載の位置検出機能付き機器。
【請求項１６】
前記視認面構成部材は、移動する遊技用媒体を支持する基盤を備え、
前記視認面は、前記基盤において当該基盤と前記遊技用媒体との相対位置が視認される側の面であることを特徴とする請求項１乃至１０の何れか一項に記載の位置検出機能付き機器。
【発明の詳細な説明】
【技術分野】
【０００１】
本発明は、情報が視認される面側に位置する対象物体の位置を光学的に検出する位置検出機能付き機器に関するものである。
【背景技術】
【０００２】
対象物体を光学的に検出する光学式位置検出装置としては、例えば、２つの検出用光源部から透光部材を介して対象物体に向けて検出光を出射し、対象物体で反射した検出光が透光部材を透過して光検出部で検出されるものが提案されている。かかる光学式位置検出装置では、例えば、光検出部での検出結果に基づいて２つの検出用光源部を差動させれば、２つの検出用光源部のうちの一方の検出用光源部と対象物体との距離と、他方の検出用光源部と対象物体との距離の比がわかる。従って、対象物体の位置を検出することができる（特許文献１参照）。
【先行技術文献】
【特許文献】
【０００３】
【特許文献１】特表２００３−５３４５５４号公報
【発明の概要】
【発明が解決しようとする課題】
【０００４】
しかしながら、特許文献１に記載の構成では、検出光の出射空間が固定であるため、以下の問題点がある。まず、予め、対象物体が狭い範囲に存在することがわかっている場合でも、広い範囲にわたって一定以上の照度をもって検出光を出射する必要があるため、無駄に電力を消費している等の問題点がある。また、検出光の出射空間が固定であるため、特定の空間内の対象物体のみを検出した場合でも、出射空間全体から対象物体を検出してしまうという問題点がある。
【０００５】
以上の問題点に鑑みて、本発明の課題は、検出光の出射空間のサイズを可変にすることのできる位置検出機能付き機器を提供することにある。
【課題を解決するための手段】
【０００６】
上記課題を解決するために、本発明は、視認面を備えた視認面構成部材と、該視認面構成部材に対して前記視認面側に位置する対象物体の位置を検出する光学式位置検出装置と、を有する位置検出機能付き機器であって、前記光学式位置検出装置は、前記視認面側に検出光を出射する複数の検出用光源部と、前記検出光が出射される前記視認面側の検出光出射空間に位置する前記対象物体で反射した前記検出光を受光する光検出部と、前記複数の検出用光源部を順次点灯させる光源駆動部と、前記複数の検出用光源部が順次点灯した際の前記光検出部の受光結果に基づいて前記対象物体の位置を検出する位置検出部と、を有し、前記検出用光源部は、前記検出光出射空間からみたとき当該検出光出射空間の中央側から外側に向かって中心光軸が並ぶ複数の発光素子を備えていることを特徴とする。
【０００７】
本発明では、光源駆動部は、複数の検出用光源部を順次点灯させ、その間、光検出部は、対象物体で反射した検出光を受光する。従って、光検出部での検出結果を直接、あるいは光検出部を介して２つの検出用光源部を差動させたときの駆動電流等を用いれば、位置検出部は、対象物体の位置を検出することができる。ここで、検出用光源部は、検出光出射空間からみたとき検出光出射空間の中央側から外側に向かって中心光軸が並ぶ複数の発光素子を備えており、幾つの発光素子、あるいはいずれの発光素子を点灯させるかによって、検出光の出射空間の大きさを変更することができる。このため、対象物体の検出空間を広く設定する場合には、例えば、点灯する発光素子の数を増やして出射空間を広げる一方、対象物体の検出空間を狭く設定する場合には、点灯する発光素子の数を減らして出射空間を狭めることができる。従って、光源を点灯させる電力を無駄に消費することがないので、消費電力の削減を図ることができる。また、検出光の出射空間が可変であるため、特定の狭い空間内の対象物体のみを検出することもできる。
【０００８】
本発明において、前記光源駆動部は、前記複数の発光素子のうちの一部の発光素子を点灯させる第１モードと、前記複数の発光素子のうちの少なくとも前記第１モードとは別の発光素子を点灯させる第２モードと、を実行する。
【０００９】
本発明において、前記光源駆動部は、前記第１モードでは、前記複数の発光素子のうちの一部の発光素子を点灯させ、前記第２モードでは、前記第１モードで点灯する発光素子および前記第１モードとは別の発光素子を同時に点灯させて前記出射空間を前記発光素子の中心光軸が配列されている方向に拡張させることが好ましい。かかる構成によれば、第１モードでは、点灯する発光素子を減らして出射空間を狭めることができるので、光源を点灯させるのに消費する電力の削減を図ることができる。
【００１０】
本発明において、前記光源駆動部は、前記第１モードでは、前記複数の発光素子のうちの１つの発光素子を点灯させ、前記第２モードでは前記第１モードで点灯する発光素子を含む２つ以上の発光素子を同時に点灯させる構成を採用することができる。かかる構成によれば、点灯する発光素子の１つまで減らして出射空間を狭めることができるので、光源を点灯させるのに消費する電力の削減を図ることができる。また、検出光の出射空間を最小限まで狭めることができるので、特定の狭い空間内の対象物体のみを検出することもできる。
【００１１】
本発明は、前記複数の検出用光源部が、いずれも同一方向に前記検出光を出射する第１タイプの光学式位置検出装置に適用することができる。
【００１２】
本発明において、前記検出光出射空間からみたとき、前記光検出部は、前記複数の検出用光源部で囲まれた位置に配置され、かつ、前記検出用光源部において前記複数の発光素子は前記光検出部に近い位置から離間する方向に向けて直線的に配列されており、前記第１モードでは、前記複数の発光素子のうち、当該第１モードで点灯せずに前記第２モードで点灯する発光素子よりも前記光検出部に近い位置の発光素子が点灯する構成を採用することができる。
【００１３】
本発明において、前記検出光の出射側からみたとき、前記検出用光源部において前記複数の発光素子の中心光軸は、前記出射空間の内側から外側に向けて直線的に配列されており、前記第１モードでは、前記複数の発光素子のうち、当該第１モードで点灯せずに前記第２モードで点灯する発光素子よりも前記出射空間の内側に中心光軸を向ける発光素子が点灯する構成を採用することができる。
【００１４】
本発明において、前記第２モードで点灯する前記発光素子のうち、前記１モードで消灯状態にあった発光素子は、前記第１モードで点灯状態にあった発光素子よりも前記検出光の出射強度が大であることが好ましい。このように構成すると、第１モードでの検出光の出射空間と、第２モードで拡張した後の検出光の出射空間とにおいて、検出光の強度を連続した状態とすることができるので、第２モードでも、第１モードと同様な検出精度を得ることができる。
【００１５】
本発明は、前記複数の検出用光源部には、前記出射空間を挟む両側で互いに逆向きの方向に前記検出光を出射する検出用光源部が含まれている第２タイプの光学式位置検出装置にも適用することができる。
【００１６】
本発明は、第１タイプおよび第２タイプのいずれの光学式位置検出装置であっても、前記位置検出部は、前記光検出部の受光結果に基づいて前記複数の検出用光源部のうち、一部の検出用光源と他の一部の検出用光源部とを差動させた結果に基づいて前記対象物体の位置を検出することが好ましい。このような差動を用いれば、環境光等の影響を自動的に補正することができる。
【００１７】
本発明において、前記出射空間を介さずに前記光検出部に入射する参照光を出射する参照用光源を備え、前記位置検出部は、前記光検出部の受光結果に基づいて前記複数の検出用光源部のうちの一部の検出用光源部と前記参照用光源とを組み合わせを変えて差動させた結果に基づいて前記対象物体の位置を検出する構成を採用してもよい。このような差動を用いれば、環境光等の影響を自動的に補正することができる。
【００１８】
本発明において、前記検出光は赤外光であることが好ましい。かかる構成によれば、検出光が視認されないので、表示装置に適用した場合でも表示を妨げない等、光学式位置検出装置を各種機器に用いることができる。
【００１９】
本発明を適用した位置検出機能付き機器は、例えば、以下の機器として構成することができる。
【００２０】
本発明において、前記視認面構成部材は、情報としての画像を表示する直視型画像生成装置である構成を採用でき、この場合、前記視認面は、前記直視型画像生成装置において前記画像が表示される画像表示面である。かかる構成によれば、位置検出機能付き機器を位置検出機能付き直視型表示装置として構成することができる。
【００２１】
本発明において、前記視認面構成部材はスクリーンである構成を採用でき、この場合、前記視認面は、スクリーンにおいて情報が視認されるスクリーン面である。
【００２２】
ここで、前記スクリーンに対して前記視認面側とは反対側に前記検出用光源および前記光検出部が配置されている構成を採用することができる。かかる構成によれば、位置検出機能付き機器を位置検出機能付きスクリーン装置として構成することができる。
【００２３】
本発明において、前記スクリーンに対して前記視認面側に、前記スクリーンに向けて画像を投射する画像投射装置を備え、当該画像投射装置に前記検出用光源および前記光検出部が配置されている構成を採用することもできる。かかる構成によれば、位置検出機能付き機器を位置検出機能付き投射型表示装置として構成することができる。
【００２４】
本発明において、前記視認面構成部材は、前記情報としての展示品を覆う透光部材である構成を採用することができ、この場合、前記視認面は、前記透光部材において前記展示品が配置される側とは反対側で当該展示品が視認される面である。かかる構成によれば、位置検出機能付き機器を位置検出機能付きウインドウ等として構成することができる。
【００２５】
本発明において、前記視認面構成部材は、移動する遊技用媒体を支持する基盤である構成を採用することができ、この場合、前記視認面は、前記基盤において当該基盤と前記遊技用媒体との相対位置が前記情報として視認される側の面である。かかる構成によれば、位置検出機能付き機器をパチンコ台やコインゲーム等のアミューズメント機器として構成することができる。
【図面の簡単な説明】
【００２６】
【図１】本発明の実施の形態１に係る位置検出機能付き機器の主要部を模式的に示す説明図である。
【図２】本発明の実施の形態１に係る位置検出機能付き機器の光学式位置検出装置における検出用光源部の構成を示す説明図である。
【図３】本発明の実施の形態１に係る位置検出機能付き機器の光学式位置検出装置の全体構成を示す説明図である。
【図４】本発明の実施の形態１に係る位置検出機能付き機器の光学式位置検出装置において、検出光同士の差動を利用して対象物体の位置を検出する原理を示す説明図である。
【図５】本発明の実施の形態１に係る位置検出機能付き機器の光学式位置検出装置において、参照光と検出光との差動を利用して対象物体の位置を検出する原理を示す説明図である。
【図６】本発明の実施の形態１に係る位置検出機能付き機器の光学式位置検出装置において、位置検出部で行なわれる処理内容等を示す説明図である。
【図７】本発明の実施の形態１に係る位置検出機能付き機器の光学式位置検出装置において検出空間のサイズを切り換える様子を示す説明図である。
【図８】本発明の実施の形態１に係る位置検出機能付き機器の具体例１（位置検出機能付き直視型表示装置）の分解斜視図である。
【図９】本発明の実施の形態１の位置検出機能付き機器の具体例２（位置検出機能付きスクリーン装置）の説明図である。
【図１０】本発明の実施の形態１に係る位置検出機能付き機器の具体例３（位置検出機能付きウインドウ）の説明図である。
【図１１】本発明の実施の形態１に係る位置検出機能付き機器の具体例４（位置検出機能付きアミューズメント機器）の説明図である。
【図１２】本発明を適用した別の位置検出機能付きアミューズメント機器（位置検出機能付き機器）の説明図である。
【図１３】本発明の実施の形態２に係る位置検出機能付き機器の主要部を模式的に示す説明図である。
【図１４】本発明の実施の形態２に係る位置検出機能付き機器の光学式位置検出装置における検出用光源部と検出空間との位置関係を模式的に示す説明図である。
【図１５】本発明の実施の形態２に係る位置検出機能付き機器の具体例（位置検出機能付き投射型表示装置）の説明図である。
【図１６】本発明の実施の形態３に係る位置検出機能付き機器の主要部を模式的に示す説明図である。
【図１７】本発明の実施の形態３に係る位置検出機能付き機器の具体例（位置検出機能付きスクリーン装置）の説明図である。
【発明を実施するための形態】
【００２７】
次に、添付図面を参照して本発明の実施形態について詳細に説明する。なお、以下の説明においては、互いに交差する軸をＸ軸、Ｙ軸およびＺ軸とし、検出光の出射方向をＺ軸方向として説明する。また、以下に参照する図面では、Ｘ軸方向の一方側をＸ１側とし、他方側をＸ２側とし、Ｙ軸方向の一方側をＹ１側とし、他方側をＹ２側として示してある。
【００２８】
［実施の形態１］
（全体構成）
図１は、本発明の実施の形態１に係る位置検出機能付き機器の主要部を模式的に示す説明図である。図２は、本発明の実施の形態１に係る位置検出機能付き機器の光学式位置検出装置における検出用光源部の構成を示す説明図であり、図２（ａ）、（ｂ）は、検出用光源部を検出光の出射空間からみたときの説明図、および検出用光源部を側方からみたときの説明図である。図３は、本発明の実施の形態１に係る位置検出機能付き機器の光学式位置検出装置の全体構成を示す説明図である。
【００２９】
図１、図２および図３において、本形態の位置検出機能付き機器１は、情報が視認される視認面４１を備えた視認面構成部材４０と、視認面構成部材４０に対して視認面４１側（Ｚ軸方向の一方側Ｚ１）に位置する対象物体Ｏｂの位置を検出する光学式位置検出装置１０Ａとを有しており、後述する位置検出機能付き表示装置等として利用される。
【００３０】
光学式位置検出装置１０Ａは、Ｚ軸方向の一方側Ｚ１に向けて検出光Ｌ２を出射する複数の検出用光源部１２を備えた光源装置１１と、対象物体Ｏｂで反射した検出光Ｌ３を検出する光検出部３０とを備えている。視認面構成部材４０は、検出用光源部１２および光検出部３０に対してＺ軸方向の一方側Ｚ１に位置するシート状あるいは板状の透光部材からなる。従って、検出用光源部１２は、視認面構成部材４０において視認面４１側とは反対側の裏面４２側から視認面４１側に検出光Ｌ２を出射し、光検出部３０は、対象物体Ｏｂで反射して視認面構成部材４０の裏面４２側に透過してきた検出光Ｌ３を検出する。このため、光検出部３０の受光部３１は、部材の裏面４２に対向している。
【００３１】
本形態において、光源装置１１は、複数の検出用光源部１２として、第１検出用光源部１２Ａ、第２検出用光源部１２Ｂ、第３検出用光源部１２Ｃおよび第４検出用光源部１２Ｄを備えており、これらの検出用光源部１２はいずれも、発光部を視認面構成部材４０に向けている。従って、検出用光源部１２から出射された検出光Ｌ２は、視認面構成部材４０を透過して、視認面４１側（光源装置１１からの検出光Ｌ２の出射空間）に出射され、本形態では、かかる出射空間（視認面４１側の空間）によって、対象物体Ｏｂの位置が検出される検出空間１０Ｒが構成されている。
【００３２】
第１検出用光源部１２Ａ〜第４検出用光源部１２Ｄは、検出空間１０Ｒ（Ｚ軸方向）からみたとき、光検出部３０の中心光軸の周りにこの順に配置されており、光検出部３０は、複数の検出用光源部１２より内側に位置する。複数の検出用光源部１２において、第１検出用光源部１２Ａと第３検出用光源部１２ＣとはＸ軸方向で離間し、第２検出用光源部１２Ｂと第４検出用光源部１２ＤとはＹ軸方向で離間している。なお、第１検出用光源部１２Ａからみれば、第２検出用光源部１２Ｂおよび第４検出用光源部１２Ｄも第１検出用光源部１２Ａに対してＸ軸方向で離間し、第３検出用光源部１２Ｃからみれば、第２検出用光源部１２Ｂおよび第４検出用光源部１２Ｄも第３検出用光源部１２Ｃに対してＸ軸方向で離間している。同様に、第２検出用光源部１２Ｂからみれば、第１検出用光源部１２Ａおよび第３検出用光源部１２Ｃも第２検出用光源部１２Ｂに対してＹ軸方向で離間し、第４検出用光源部１２Ｄからみれば、第１検出用光源部１２Ａおよび第３検出用光源部１２Ｃも第４検出用光源部１２Ｄに対してＹ軸方向で離間している。
【００３３】
また、検出空間１０Ｒ（Ｚ軸方向）からみたとき、第１検出用光源部１２Ａ〜第４検出用光源部１２Ｄは、光検出部３０を中心に等角度間隔に配置されている。また、検出空間１０Ｒ（Ｚ軸方向）からみたとき、第１検出用光源部１２Ａ〜第４検出用光源部１２Ｄは、光検出部３０からの距離が等しい。
【００３４】
光源装置１１は、光検出部３０に発光部を向けた参照用光源１２Ｒも備えている。参照用光源１２Ｒは、ＬＥＤ（発光ダイオード）等により構成され、参照用光源１２Ｒは、ピーク波長が８４０〜１０００ｎｍに位置する赤外光からなる参照光Ｌｒを発散光として放出する。但し、参照用光源１２Ｒから出射される参照光Ｌｒは、参照用光源１２Ｒの向きや、参照用光源１２Ｒに設けられる遮光カバー（図示せず）等によって、視認面構成部材４０の視認面４１側（検出空間１０Ｒ）に入射せず、検出空間１０Ｒを介さずに光検出部３０に入射するようになっている。
【００３５】
光検出部３０は、視認面構成部材４０に受光部３１を向けたフォトダイオードやフォトトランジスター等からなり、本形態において、光検出部３０は赤外域に感度ピークを備えたフォトダイオードである。
【００３６】
（検出用光源部１２の詳細構成）
本形態の光学式位置検出装置１０Ａにおいて、検出空間１０Ｒ（Ｚ軸方向）からみたとき、複数の検出用光源部１２は各々、検出空間１０Ｒの中央側から外側に向かって中心光軸が並ぶ複数の発光素子を備えており、本形態において、検出用光源部１２は、３つの発光素子を備えている。より具体的には、第１検出用光源部１２Ａは、最も内側の第１発光素子１２Ａ1と、第１発光素子１２Ａ1よりも光検出部３０が位置する側とは反対側（外側）に位置する第２発光素子１２Ａ2と、第２発光素子１２Ａ2よりも光検出部３０が位置する側とは反対側（外側）に位置する第３発光素子１２Ａ3とを備えており、第１発光素子１２Ａ1〜第３発光素子１２Ａ3および光検出部３０は同一直線上に配置されている。また、第１発光素子１２Ａ1〜第３発光素子１２Ａ3の中心光軸は、互いに並列しており、本形態において、第１発光素子１２Ａ1〜第３発光素子１２Ａ3の中心光軸は、互いに平行である。
【００３７】
同様に、第２検出用光源部１２Ｂは、最も内側の第１発光素子１２Ｂ1と、第１発光素子１２Ｂ1よりも光検出部３０が位置する側とは反対側（外側）に位置する第２発光素子１２Ｂ2と、第２発光素子１２Ｂ2よりも光検出部３０が位置する側とは反対側（外側）に位置する第３発光素子１２Ｂ3とを備えており、第１発光素子１２Ｂ1〜第３発光素子１２Ｂ3および光検出部３０は同一直線上に配置されている。また、第１発光素子１２Ｂ1〜第３発光素子１２Ｂ3の中心光軸は、互いに並列しており、本形態において、第１発光素子１２Ｂ1〜第３発光素子１２Ｂ3の中心光軸は、互いに平行である。
【００３８】
第３検出用光源部１２Ｃは、最も内側の第１発光素子１２Ｃ1と、第１発光素子１２Ｃ1よりも光検出部３０が位置する側とは反対側（外側）に位置する第２発光素子１２Ｃ2と、第２発光素子１２Ｃ2よりも光検出部３０が位置する側とは反対側（外側）に位置する第３発光素子１２Ｃ3とを備えており、第１発光素子１２Ｃ1〜第３発光素子１２Ｃ3および光検出部３０は同一直線上に配置されている。また、第１発光素子１２Ｃ1〜第３発光素子１２Ｃ3の中心光軸は、互いに並列しており、本形態において、第１発光素子１２Ｃ1〜第３発光素子１２Ｃ3の中心光軸は、互いに平行である。
【００３９】
第４検出用光源部１２Ｄは、最も内側の第１発光素子１２Ｄ1と、第１発光素子１２Ｄ1よりも光検出部３０が位置する側とは反対側（外側）に位置する第２発光素子１２Ｄ2と、第２発光素子１２Ｄ2よりも光検出部３０が位置する側とは反対側（外側）に位置する第３発光素子１２Ｄ3とを備えており、第１発光素子１２Ｄ1〜第３発光素子１２Ｄ3および光検出部３０は同一直線上に配置されている。また、第１発光素子１２Ｄ1〜第３発光素子１２Ｄ3の中心光軸は、互いに並列しており、本形態において、第１発光素子１２Ｄ1〜第３発光素子１２Ｄ3の中心光軸は、互いに平行である。
【００４０】
ここで、第１発光素子１２Ａ1〜１２Ｄ1はいずれも、光検出部３０を中心とする半径ｒ1の円周上に位置し、第２発光素子１２Ａ2〜１２Ｄ2はいずれも、光検出部３０を中心とする半径ｒ2（但し、ｒ1＜ｒ2）の円周上に位置し、第３発光素子１２Ａ3〜１２Ｄ3はいずれも、光検出部３０を中心とする半径ｒ3（但し、ｒ2＜ｒ3）の円周上に位置する。このため、第１発光素子１２Ａ1、１２Ｂ1、１２Ｃ1、１２Ｄ1、第２発光素子１２Ａ2、１２Ｂ2、１２Ｃ2、１２Ｄ2、および第３発光素子１２Ａ3、１２Ｂ3、１２Ｃ3、１２Ｄ3は、この順に検出空間１０Ｒの内側から外側に中心光軸を向けている。
【００４１】
第１発光素子１２Ａ1〜１２Ｄ1、第２発光素子１２Ａ2〜１２Ｄ2、および第３発光素子１２Ａ3〜１２Ｄ3はいずれも、ＬＥＤ（発光ダイオード）等により構成され、ピーク波長が８４０〜１０００ｎｍに位置する赤外光からなる検出光Ｌ２（検出光Ｌ２ａ〜Ｌ２ｄ）を発散光として放出する。
【００４２】
（位置検出部等の構成）
図３に示すように、光源装置１１は複数の検出用光源部１２を駆動する光源駆動部１４を備えている。光源駆動部１４は、検出用光源部１２および参照用光源１２Ｒを駆動する光源駆動回路１４０と、光源駆動回路１４０を介して複数の検出用光源部１２および参照用光源１２Ｒの各々の点灯パターンを制御する光源制御部１４５とを備えている。光源駆動回路１４０は、第１検出用光源部１２Ａ〜第４検出用光源部１２Ｄを駆動する光源駆動回路１４０ａ〜１４０ｄと、参照用光源１２Ｒを駆動する光源駆動回路１４０ｒとを備えている。また、光源駆動回路１４０ａ〜１４０ｄは各々、第１発光素子１２Ａ1〜１２Ｄ1、第２発光素子１２Ａ2〜１２Ｄ2、および第３発光素子１２Ａ3〜１２Ｄ3を個別に駆動する。光源制御部１４５は、光源駆動回路１４０ａ〜１４０ｄ、１４０ｒの全てを制御する。なお、光源駆動回路１４０ａ〜１４０ｄについては、スイッチング回路により、複数の検出用光源部１２を共通の光源駆動回路１４０で駆動する構成を採用してもよい。
【００４３】
光検出部３０には位置検出部５０が電気的に接続されており、光検出部３０での検出結果は位置検出部５０に出力される。位置検出部５０は、光検出部３０での検出結果に基づいて対象物体Ｏｂの位置を検出するための信号処理部５５を備えており、かかる信号処理部５５は、増幅器や比較器等を備えている。また、位置検出部５０は、対象物体ＯｂのＸＹ座標を検出するＸＹ座標検出部５２と、対象物体ＯｂのＺ座標を検出するＺ座標検出部５３とを備えている。このように構成した位置検出部５０と光源駆動部１４とは連動して動作し、後述する位置検出を行なう。
【００４４】
(座標の基本的な検出原理）
図４は、本発明の実施の形態１に係る位置検出機能付き機器１の光学式位置検出装置１０Ａで用いた座標検出の基本原理を示す説明図であり、図４（ａ）、（ｂ）は、対象物体Ｏｂの位置と光検出部３０での受光強度との関係を模式的に示す説明図、および検出部３０での受光強度が等しくなるように検出光Ｌ２の出射強度を調整する様子を模式的に示す説明図である。
【００４５】
本形態の光学式位置検出装置１０Ａでは、図４および図５を参照して後述するように、検出用光源部１２同士の差動、あるいは検出用光源部１２と参照用光源１２Ｒとの差動により、２つの検出用光源部１２のうちの一方の検出用光源部１２と対象物体Ｏｂとの距離と、他方の検出用光源部１２と対象物体Ｏｂとの距離の比を求め、かかる比に基づいて、対象物体Ｏｂの位置を検出する。かかる差動の際、第１発光素子１２Ａ1〜１２Ｄ1、第２発光素子１２Ａ2〜１２Ｄ2、および第３発光素子１２Ａ3〜１２Ｄ3の一部あるいは全部が使用される。その際、第１検出用光源部１２Ａ、第２検出用光源部１２Ｂ、第３検出用光源部１２Ｃおよび第４検出用光源部１２Ｄでの駆動電流は各々、第１発光素子１２Ａ1〜第３発光素子１２Ａ3の駆動電流合計値、第１発光素子１２Ｂ1〜第３発光素子１２Ｂ3の駆動電流合計値、第１発光素子１２Ｃ1〜第３発光素子１２Ｃ3の駆動電流合計値、第１発光素子１２Ｄ1〜第３発光素子１２Ｄ3の駆動電流合計値である。
【００４６】
以下、光検出部３０の受光結果に基づいて、第１検出用光源部１２Ａ、第２検出用光源部１２Ｂ、第３検出用光源部１２Ｃおよび第４検出用光源部１２Ｄのうち、２つの検出用光源を組み合わせを変えて差動させた複数の結果により対象物体ＯｂのＸ座標およびＹ座標を検出する際の基本的な原理を説明する。
【００４７】
本形態の光学式位置検出装置１０において、透光部材４０の第１面４１側（光源装置１１からの検出光Ｌ２の出射側の空間）には検出空間１０Ｒが設定されている。また、２つの検出用光源部１２、例えば、第１検出用光源部１２Ａと第３検出用光源部１２ＣはＸ軸方向およびＹ軸方向で離間している。このため、第１検出用光源部１２Ａが点灯して検出光Ｌ２ａを出射すると、検出光Ｌ２ａは、図４（ａ）に示すように、一方側から他方側に向けて強度が単調減少する第１光強度分布Ｌ２Ｇａを形成する。また、第３検出用光源部１２Ｃが点灯して検出光Ｌ２ｃを出射すると、検出光Ｌ２ｃは、透光部材４０を透過して第１面４１側（検出空間１０Ｒ）に、一方側から他方側に向けて強度が単調増加する第２光強度分布Ｌ２Ｇｃを形成する。
【００４８】
このような検出光Ｌ２ａ、Ｌ２ｃの差動を利用して対象物体Ｏｂの位置情報を得るには、図４（ａ）に示すように、まず、第１検出用光源部１２Ａを点灯させる一方、第３検出用光源部１２Ｃを消灯させ、一方側から他方側に向かって強度が単調減少していく第１光強度分布Ｌ２Ｇａを形成する。また、第１検出用光源部１２Ａを消灯させる一方、第３検出用光源部１２Ｃを点灯させ、一方側から他方側に向かって強度が単調増加していく第２光強度分布Ｌ２Ｇｃを形成する。従って、検出空間１０Ｒに対象物体Ｏｂが配置されると、対象物体Ｏｂにより検出光Ｌ２が反射され、その反射光の一部が光検出部３０により検出される。その際、対象物体Ｏｂでの反射強度は、対象物体Ｏｂが位置する個所での検出光Ｌ２の強度に比例し、光検出部３０での受光強度は対象物体Ｏｂでの反射強度に比例する。従って、光検出部３０での受光強度は、対象物体Ｏｂの位置に対応する値となる。それ故、図４（ｂ）に示すように、第１光強度分布Ｌ２Ｇａを形成した際の光検出部３０での検出値ＬＧａと、第２光強度分布Ｌ２Ｇｃを形成した際の光検出部３０での検出値ＬＧｃとが等しくなるように、第１検出用光源部１２Ａに対する制御量（駆動電流）を調整した際の駆動電流と、第３検出用光源部１２Ｃに対する制御量（駆動電流）を調整した際の駆動電流との比や調整量の比等を用いれば、ＸＹ平面内において対象物体Ｏｂが第１検出用光源部１２Ａと第３検出用光源部１２Ｃとの間のいずれの位置に存在するかを検出できることになる。
【００４９】
より具体的には、図４（ａ）に示すように、第１光強度分布Ｌ２Ｇａと第２光強度分布Ｌ２Ｇｃとを光強度分布が逆向きとなるように形成する。この状態で、光検出部３０での検出値ＬＧａ、ＬＧｃが等しければ、ＸＹ平面内において対象物体Ｏｂが第１検出用光源部１２Ａと第３検出用光源部１２Ｃとの間の中央に位置することが分る。これに対して、光検出部３０での検出値ＬＧａ、ＬＧｃが相違している場合、検出値ＬＧａ、ＬＧｃが等しくなるように、第１検出用光源部１２Ａおよび第３検出用光源部１２Ｃに対する制御量（駆動電流）を調整して、図４（ｂ）に示すように、再度、第１光強度分布Ｌ２Ｇａおよび第２光強度分布Ｌ２Ｇｃを順次形成する。その結果、光検出部３０での検出値ＬＧａ、ＬＧｃが等しくなれば、その時点での第１検出用光源部１２Ａに対する駆動電流と、第３検出用光源部１２Ｃに対する駆動電流との比を用いれば、ＸＹ平面内において対象物体Ｏｂが第１検出用光源部１２Ａと第３検出用光源部１２Ｃとの間のいずれの位置に存在するかを検出できることになる。
【００５０】
かかる検出原理を光路関数を用いて数理的に説明すると、以下のようになる。まず、上記の差動において、光検出部３０での受光強度が等しくなったときの第１検出用光源部１２Ａに対する駆動電流をＩAとし、第３検出用光源部１２Ｃに対する駆動電流をＩCとし、第１検出用光源部１２Ａから対象物体Ｏｂを経て光検出部３０に到る距離関数と第３検出用光源部１２Ｃから対象物体Ｏｂを経て光検出部３０に到る距離関数との比をＰACとすると、比ＰACは、基本的には下式
ＰAC＝ＩC／ＩA
により求められる。従って、対象物体Ｏｂは、第１検出用光源部１２Ａと第３検出用光源部１２Ｃとを結ぶ線を所定の比で分割した位置を通る等比線上に対象物体Ｏｂ位置することが分かる。
【００５１】
かかるモデルを数理的に説明する。まず、各パラメーターを以下
Ｔ＝対象物体Ｏｂの反射率
Ａt＝第１検出用光源部１２Ａから出射された
検出光Ｌ２が対象物体Ｏｂで反射して光検出部３０に到る距離関数
Ａ＝検出空間１０Ｒに対象物体Ｏｂが存在する状態で第１検出用光源部１２Ａ
が点灯したときの光検出部３０の検出強度
Ｃt＝第３検出用光源部１２Ｃから出射された
検出光Ｌ２が対象物体Ｏｂで反射して光検出部３０に到る距離関数
Ｃ＝検出空間１０Ｒに対象物体Ｏｂが存在する状態で第３検出用光源部１２Ｃ
が点灯したときの光検出部３０の検出強度
とする。なお、第１検出用光源部１２Ａおよび第３検出用光源部１２Ｃの発光強度は、駆動電流と発光係数との積で表されるが、以下の説明では、発光係数を１とする。
【００５２】
また、検出空間１０Ｒに対象物体Ｏｂが存在する状態で、前記した差動を行なうと、
Ａ＝Ｔ×Ａt×ＩA＋環境光    ・・式（１）
Ｃ＝Ｔ×Ｃt×ＩC＋環境光    ・・式（２）
の関係が得られる。
【００５３】
ここで、差動の際の光検出部３０の検出強度は等しいことから、式（１）、（２）から下式
Ｔ×Ａt×ＩA＋環境光＝Ｔ×Ｃt×ＩC＋環境光
Ｔ×Ａt×ＩA＝Ｔ×Ｃt×ＩC・・式（３）
が導かれる。
【００５４】
また、距離関数Ａt、Ｃtの比ＰACは、下式
ＰAC＝Ａt／Ｃt・・式（４）
で定義されることから、式（３）、（４）から、距離関数の比ＰACは
ＰAC＝ＩC／ＩA・・式（５）
で示すように表される。かかる式（５）では、環境光の項、対象物体Ｏｂの反射率の項が存在しない。それ故、光路係数Ａt、Ｃtの比ＰACには、環境光、対象物体Ｏｂの反射率が影響しない。なお、上記の数理モデルについては、対象物体Ｏｂで反射せずに入射した検出光Ｌ２の影響等を相殺するための補正を行なってもよい。
【００５５】
ここで、検出用光源部１２で用いた光源点光源であり、ある地点での光強度は、光源からの距離の２乗に反比例する。従って、第１検出用光源部１２Ａと対象物体Ｏとの離間距離Ｐ１と、第３検出用光源部１２Ｃと対象物体Ｏｂとの離間距離Ｐ２との比は、下式
ＰAC＝（Ｐ１）2：（Ｐ２）2
により求められる。それ故、対象物体Ｏｂは、検出用光源部１２Ａと第２検出用光源部１２Ｃとを結ぶ仮想線をＰ１：Ｐ２で分割した位置を通る等比線上に対象物体Ｏｂが存在することがわかる。
【００５６】
同様に、第２検出用光源部１２Ｂと第４検出用光源部１２Ｄとを差動させて、第２検出用光源部１２Ｂと対象物体Ｏｂとの距離と、第４検出用光源部１２Ｄと対象物体Ｏｂとの距離の比を求めれば、第２検出用光源部１２Ｂと第４検出用光源部１２Ｄとを結ぶ仮想線を所定の比で分割した位置を通る等比線上に対象物体Ｏｂが存在することがわかる。それ故、対象物体ＯｂのＸ座標およびＹ座標を検出することができる。なお、上記の方法は、本形態で採用した原理を幾何学的に説明したものであり、実際には、得られたデータを用いて計算を行う。
【００５７】
（参照光Ｌｒと検出光Ｌ２との差動）
図５は、本発明の実施の形態１に係る位置検出機能付き機器１の光学式位置検出装置１０Ａにおいて、参照光Ｌｒと検出光Ｌ２との差動を利用して対象物体Ｏｂの位置を検出する原理を示す説明図であり、図５（ａ）、（ｂ）は、検出用光源部１２から対象物体Ｏｂまでの距離と検出光Ｌ２等の受光強度との関係を示す説明図、および光源への駆動電流を調整した後の様子を示す説明図である。
【００５８】
本形態の光学式位置検出装置１０においては、検出光Ｌ２ａと検出光Ｌ２ｃとの直接的な差動に代えて、検出光Ｌ２ａと参照光Ｌｒとの差動と、検出光Ｌ２ｃと参照光Ｌｒとの差動とを利用し、最終的に図４（ａ）、（ｂ）を参照して説明した原理と同様な結果を導く。ここで、検出光Ｌ２ａと参照光Ｌｒとの差動、および検出光Ｌ２ｃと参照光Ｌｒとの差動は、以下のようにして実行される。
【００５９】
図５（ａ）に示すように、検出空間１０Ｒに対象物体Ｏｂが存在する状態においては、第１検出用光源部１２Ａから対象物体Ｏｂまで距離と、光検出部３０での検出光Ｌ２ａの受光強度Ｄaとは、実線ＳＡで示すように単調に変化する。これに対して、参照用光源１２Ｒから出射された参照光Ｌｒの光検出部３０での検出強度は、実線ＳＲで示すように、対象物体Ｏｂの位置にかかわらず、一定である。従って、光検出部３０での検出光Ｌ２ａの受光強度Ｄaと、光検出部３０での参照光Ｌｒの検出強度Ｄrとは、相違している。
【００６０】
次に、図５（ｂ）に示すように、第１検出用光源部１２Ａに対する駆動電流、および参照用光源１２Ｒに対する駆動電流のうちの少なくとも一方を調整し、光検出部３０での検出光Ｌ２ａの受光強度Ｄaと、参照光Ｌｒの光検出部３０での検出強度Ｄrとを一致させる。このような差動は、参照光Ｌｒと検出光Ｌ２ａとの間で行なわれるとともに、参照光Ｌｒと検出光Ｌ２ｃとの間でも行なわれる。従って、光検出部３０での検出光Ｌ２ａ、Ｌ２ｃ（対象物体Ｏｂで反射した検出光Ｌ３ａ、Ｌ３ｃ）の検出結果と、光検出部３０での参照光Ｌｒの検出結果とが等しくなった時点での第１検出用光源部１２Ａに対する駆動電流と、第３検出用光源部１２Ｃに対する駆動電流との比を求めることができる。それ故、第１検出用光源部１２Ａと第３検出用光源部１２Ｃとの間のいずれの位置に対象物体Ｏｂが存在するかを検出できることになる。
【００６１】
上記の検出原理を光路関数を用いて数理的に説明すると、以下のようになる。まず、各パラメーターを以下
Ｔ＝対象物体Ｏｂの反射率
Ａt＝第１検出用光源部１２Ａから出射された
検出光Ｌ２が対象物体Ｏｂで反射して光検出部３０に到る距離関数
Ａ＝検出空間１０Ｒに対象物体Ｏｂが存在する状態で第１検出用光源部１２Ａ
が点灯したときの光検出部３０の検出強度
Ｃt＝第３検出用光源部１２Ｃから出射された
検出光Ｌ２が対象物体Ｏｂで反射して光検出部３０に到る距離関数
Ｃ＝検出空間１０Ｒに対象物体Ｏｂが存在する状態で第３検出用光源部１２Ｃ
が点灯したときの光検出部３０の検出強度
Ｒs＝参照用光源１２Ｒから光検出部３０に到る光路係数
Ｒ＝参照用光源１２Ｒのみが点灯したときの光検出部３０の検出強度
とする。なお、第１検出用光源部１２Ａ、第３検出用光源部１２Ｃおよび参照用光源１２Ｒの発光強度は、駆動電流と発光係数との積で表されるが、以下の説明では、発光係数を１とする。また、上記の差動において、光検出部３０での受光強度が等しくなったときの第１検出用光源部１２Ａに対する駆動電流をＩAとし、第３検出用光源部１２Ｃに対する駆動電流をＩCとし、参照用光源１２Ｒに対する駆動電流をＩRとする。また、差動の際、参照用光源１２Ｒのみが点灯したときの光検出部３０の検出強度については、第１検出用光源部１２Ａとの差動と、第３検出用光源部１２Ｃとの差動とにおいて同一と仮定する。
【００６２】
検出空間１０Ｒに対象物体Ｏｂが存在する状態で、前記した差動を行なうと、
Ａ＝Ｔ×Ａt×ＩA＋環境光    ・・式（６）
Ｃ＝Ｔ×Ｃt×ＩC＋環境光    ・・式（７）
Ｒ＝Ｒs×ＩR＋環境光        ・・式（８）
の関係が得られる。
【００６３】
ここで、差動の際の光検出部３０の検出強度は等しいことから、式（６）、（８）から下式
Ｔ×Ａt×ＩA＋環境光＝Ｒs×ＩR＋環境光
Ｔ×Ａt×ＩA＝Ｒs×ＩR
Ｔ×Ａt＝Ｒs×ＩR／ＩA・・式（９）
が導かれ、式（７）、（８）から下式
Ｔ×Ｃt×ＩC＋環境光＝Ｒs×ＩR＋環境光
Ｔ×Ｃt×ＩC＝Ｒs×ＩR
Ｔ×Ｃt＝Ｒs×ＩR／ＩC・・式（１０）
が導かれる。
また、距離関数Ａt、Ｃtの比ＰACは、下式
ＰAC＝Ａt／Ｃt・・式（１１）
で定義されることから、式（９）、（１０）から、距離関数の比ＰACは
ＰAC＝ＩC／ＩA・・式（１２）
で示すように表される。かかる式（１２）では、環境光の項、対象物体Ｏｂの反射率の項が存在しない。それ故、光路係数Ａt、Ｃtの比ＰACには、環境光、対象物体Ｏｂの反射率が影響しない。なお、上記の数理モデルについては、対象物体Ｏｂで反射せずに入射した検出光Ｌ２の影響等を相殺するための補正を行なってもよい。また、第１検出用光源部１２Ａとの差動と、第３検出用光源部１２Ｃとの差動とにおいて、参照用光源１２Ｒのみが点灯したときの光検出部３０の検出強度を異なる値に設定した場合でも、基本的には同様な原理が成り立つ。
【００６４】
ここで、検出用光源部１２で用いた光源点光源であり、ある地点での光強度は、光源からの距離の２乗に反比例する。従って、第１検出用光源部１２Ａと対象物体Ｏとの離間距離Ｐ１と、第３検出用光源部１２Ｃと対象物体Ｏｂとの離間距離Ｐ２との比は、下式
ＰAC＝（Ｐ１）2：（Ｐ２）2
により求められる。それ故、対象物体Ｏｂは、検出用光源部１２Ａと第２検出用光源部１２Ｃとを結ぶ仮想線をＰ１：Ｐ２で分割した位置を通る等比線上に対象物体Ｏｂが存在することがわかる。
【００６５】
同様に、第２検出用光源部１２Ｂと参照用光源１２Ｒとの差動、および第４検出用光源部１２Ｄと参照用光源１２Ｒとの差動を利用して、第２検出用光源部１２Ｂと対象物体Ｏｂとの距離と、第４検出用光源部１２Ｄと対象物体Ｏｂとの距離の比を求めれば、第２検出用光源部１２Ｂと第４検出用光源部１２Ｄとを結ぶ仮想線を所定の比で分割した位置を通る等比線上に対象物体Ｏｂが存在することがわかる。それ故、対象物体ＯｂのＸ座標およびＹ座標を検出することができる。なお、上記の方法は、本形態で採用した原理を幾何学的に説明したものであり、実際には、得られたデータを用いて計算を行う。
【００６６】
（差動のための位置検出部５０の構成例）
図６は、本発明の実施の形態１に係る位置検出機能付き機器１の光学式位置検出装置１０Ａにおいて、位置検出部で行なわれる処理内容等を示す説明図である。
【００６７】
上記の差動を実施するにあたっては、位置検出部５０としてマイクロプロセッサーユニット（ＭＰＵ）を用い、これにより所定のソフトウェア（動作プログラム）を実行することに従って処理を行う構成を採用することができる。また、図６を参照して以下に説明するように、論理回路等のハードウェアを用いた信号処理部で処理を行う構成を採用することもできる。なお、図６には、図５を参照して説明した差動を示してあるが、参照用光源１２Ｒを検出用光源部１２に置き換えれば、図４を参照して説明した差動に適用することができる。
【００６８】
図６（ａ）に示すように、本形態の光学式位置検出装置１０Ａにおいて、光源駆動回路１４０は、可変抵抗１１１を介して第１検出用光源部１２Ａに所定電流値の駆動パルスを印加する一方、可変抵抗１１２および反転回路１１３を介して参照用光源１２Ｒに所定電流値の駆動パルスを印加する。このため、第１検出用光源部１２Ａと参照用光源１２Ｒには逆相の駆動パルスが印加されるので、第１検出用光源部１２Ａと参照用光源１２Ｒとは交互に点灯することになる。そして、第１検出用光源部１２Ａが点灯した時、検出光Ｌ２ａのうち、対象物体Ｏｂで反射した光は光検出部３０で受光され、参照用光源１２Ｒが点灯した時、参照光Ｌｒが光検出部３０で受光される。光強度信号生成回路１５０において、光検出部３０には、１ｋΩ程度の抵抗３０ｒが直列に電気的接続されており、それらの両端にはバイアス電圧Ｖｂが印加されている。
【００６９】
かかる光強度信号生成回路１５０において、光検出部３０と抵抗３０ｒとの接続点Ｑ１には、位置検出部５０が電気的に接続されている。光検出部３０と抵抗３０ｒとの接続点Ｑ１から出力される検出信号Ｖｃは、下式
Ｖｃ＝Ｖ30／（Ｖ30＋抵抗３０ｒの抵抗値）
Ｖ30：光検出部３０の等価抵抗
で表される。従って、環境光Ｌｃが光検出部３０に入射しない場合と、環境光Ｌｃが光検出部３０に入射している場合とを比較すると、環境光Ｌｃが光検出部３０に入射している場合には、検出信号Ｖｃのレベルおよび振幅が大きくなる。
【００７０】
位置検出部５０は概ね、位置検出用信号抽出回路１９０、位置検出用信号分離回路１７０、および発光強度補償指令回路１８０を備えている。位置検出用信号抽出回路１９０は、１ｎＦ程度のキャパシタからなるフィルター１９２を備えており、かかるフィルター１９２は、光検出部３０と抵抗３０ｒとの接続点Ｑ１から出力された信号から直流成分を除去するハイパスフィルターとして機能する。このため、フィルター１９２によって、光検出部３０と抵抗３０ｒとの接続点Ｑ１から出力された検出信号Ｖｃからは、光検出部３０による位置検出信号Ｖｄのみが抽出される。すなわち、検出光Ｌ２ａおよび参照光Ｌｒは変調されているのに対して、環境光Ｌｃはある期間内において強度が一定であると見なすことができるので、環境光Ｌｃに起因する低周波成分あるいは直流成分はフィルター１９２によって除去される。
【００７１】
また、位置検出用信号抽出回路１９０は、フィルター１９２の後段に、２２０ｋΩ程度の帰還抵抗１９４を備えた加算回路１９３を有しており、フィルター１９２によって抽出された位置検出信号Ｖｄは、バイアス電圧Ｖｂの１／２倍の電圧Ｖ／２に重畳された位置検出信号Ｖｓとして位置検出用信号分離回路１７０に出力される。
【００７２】
位置検出用信号分離回路１７０は、第１検出用光源部１２Ａに印加される駆動パルスに同期してスイッチング動作を行なうスイッチ１７１と、比較器１７２と、比較器１７２の入力線に各々、電気的接続されたキャパシタ１７３とを備えている。このため、位置検出信号Ｖｓが位置検出用信号分離回路１７０に入力されると、位置検出用信号分離回路１７０から発光強度補償指令回路１８０には、第１検出用光源部１２Ａが点灯した時の位置検出信号Ｖｓの実効値Ｖｅａと、参照用光源１２Ｒが点灯した時の位置検出信号Ｖｓの実効値Ｖｅｂとが交互に出力される。
【００７３】
発光強度補償指令回路１８０は、実効値Ｖｅａ、Ｖｅｂを比較して、図６（ｂ）に示す処理を行ない、位置検出信号Ｖｓの実効値Ｖｅａと位置検出信号Ｖｓの実効値Ｖｅｂとが同一レベルとなるように光源駆動回路１４０に制御信号Ｖｆを出力する。すなわち、発光強度補償指令回路１８０は、位置検出信号Ｖｓの実効値Ｖｅａと位置検出信号Ｖｓの実効値Ｖｅｂとを比較して、それらが等しい場合、現状の駆動条件を維持させる。これに対して、位置検出信号Ｖｓの実効値Ｖｅａが位置検出信号Ｖｓの実効値Ｖｅｂより低い場合、発光強度補償指令回路１８０は、可変抵抗１１１の抵抗値を下げさせて第１検出用光源部１２Ａからの出射光量を高める。また、位置検出信号Ｖｓの実効値Ｖｅｂが位置検出信号Ｖｓの実効値Ｖｅａより低い場合、発光強度補償指令回路１８０は、可変抵抗１１２の抵抗値を下げさせて参照用光源１２Ｒからの出射光量を高める。
【００７４】
このようにして、光学式位置検出装置１０Ａでは位置検出部５０の発光強度補償指令回路１８０によって、第１検出用光源部１２Ａの点灯動作中および参照用光源１２Ｒの点灯動作中での光検出部３０による検出量が同一となるように、第１検出用光源部１２Ａおよび参照用光源１２Ｒの制御量（駆動電流）を制御する。従って、発光強度補償指令回路１８０には、第１検出用光源部１２Ａの点灯動作中と、参照用光源１２Ｒの点灯動作中とにおいて光検出部３０による検出量が同一となるような第１検出用光源部１２Ａおよび参照用光源１２Ｒに対する駆動電流に関する情報が存在し、かかる情報は、位置検出信号Ｖｇとして位置検出部５０に出力される。
【００７５】
同様な処理は、他の検出用光源部１２（第２検出用光源部１２Ｂ〜第４検出用光源部１２Ｄ）と参照用光源１２Ｒとの間でも行なわれる。
【００７６】
（Ｚ座標の検出）
本形態の光学式位置検出装置１０Ａにおいて、第１検出用光源部１２Ａ〜第４検出用光源部１２Ｄが同時に点灯すると、視認面構成部材４０の視認面４１側（検出空間１０Ｒ）には、視認面４１に対する法線方向で強度が単調減少するＺ座標検出用光強度分布が形成される。かかるＺ座標検出用光強度分布では、視認面構成部材４０の視認面４１から離間するに従って強度が単調に低下する。従って、位置検出部５０のＺ座標検出部５３では、参照用光源１２Ｒと、第１検出用光源部１２Ａ〜第４検出用光源部１２Ｄの全てとを交互に点灯させたときの光検出部３０での検出値の差や比に基づいて対象物体ＯｂのＺ座標を検出することができる。また、第１検出用光源部１２Ａ〜第４検出用光源部１２Ｄを順次点灯させたときの光検出部３０での検出値の合計値と、参照用光源１２Ｒを点灯させたときの光検出部３０での検出値の差や比に基づいて対象物体ＯｂのＺ座標を検出してもよい。
【００７７】
また、位置検出部５０のＺ座標検出部５３では、参照用光源１２Ｒと第１検出用光源部１２Ａ〜第４検出用光源部１２Ｄの全てとを交互に点灯させたときに光検出部３０での検出値が等しくなったときの参照用光源１２Ｒに対する駆動電流と第１検出用光源部１２Ａ〜第４検出用光源部１２Ｄに対する駆動電流との差や比に基づいて対象物体ＯｂのＺ座標を検出することができる。また、第１検出用光源部１２Ａ〜第４検出用光源部１２Ｄを順次、参照用光源１２Ｒと差動させたときの駆動電流値の合計値と、参照用光源１２Ｒに対する駆動電流との差や比に基づいて対象物体ＯｂのＺ座標を検出してもよい。
【００７８】
（検出空間１０Ｒの切り換え）
図７は、本発明の実施の形態１に係る位置検出機能付き機器１の光学式位置検出装置１０Ａにおいて検出空間１０Ｒのサイズを切り換える様子を示す説明図である。
【００７９】
本形態の光学式位置検出装置１０Ａにおいて、第１検出用光源部１２Ａは、第１発光素子１２Ａ1〜第３発光素子１２Ａ3を備えており、光源駆動部１４は、第１検出用光源部１２Ａにおいて、第１発光素子１２Ａ1のみを点灯させる第１モード、および第１発光素子１２Ａ1を含む複数の発光素子を点灯させる第２モードを実行可能である。同様に、第２検出用光源部１２Ｂ〜第４検出用光源部１２Ｄは、第１発光素子１２Ｂ1、１２Ｃ1、１２Ｄ1〜第３発光素子１２Ｂ3、１２Ｃ3、１２Ｄ3を備えており、光源駆動部１４は、第１発光素子１２Ｂ1〜１２Ｄ1のみを点灯させる第１モード、および第１発光素子１２Ｂ1〜１２Ｄ1を含む複数の発光素子を点灯させる第２モードを実行可能である。
【００８０】
そこで、本形態では、対象物体Ｏｂが狭い範囲に存在することがわかっている場合には、第１モードを行い、検出空間１０Ｒを狭い範囲に設定する。これに対して、対象物体Ｏｂが広い範囲に存在するような場合には、第２モードを行い、検出空間１０Ｒを拡張する。ここで、光源駆動部１４は、第１モードでは、複数の発光素子のうち、一部の発光素子を点灯させ、第２モードでは、第１モードで点灯する発光素子を含んで第１モードより多い発光素子を同時に点灯させる。ここで、第１モードで点灯する発光素子が１つである場合、第２モードでは第１モードで点灯する発光素子を含む２つ以上の発光素子を同時に点灯させる。
【００８１】
より具体的には、第１検出用光源部１２Ａおよび第３検出用光源部１２Ｃを用いて対象物体ＯｂのＸ座標を検出する場合において、対象物体Ｏｂが狭い範囲に存在することがわかっているときには、図７（ａ）に示すように、光源駆動部１４は、第１発光素子１２Ａ1、１２Ｃ1のみを点灯させ、第１発光素子１２Ａ1、１２Ｃ1から検出光Ｌ２として、検出光Ｌ２ａ1（Ｌ２ａ）、Ｌ２ｃ1（Ｌ２ｃ）を出射させる（第１モード）。この状態における検出空間１０Ｒ（検出空間１０Ｒ1）のＸ軸方向におけるサイズは、図７（ａ）に矢印ＸＳ1で示す大きさであり、検出空間１０Ｒ（検出空間１０Ｒ1）のＺ軸方向におけるサイズは、図７（ａ）に矢印ＺＳ1で示す大きさである。
【００８２】
次に、対象物体Ｏｂがやや広い範囲に存在する可能性がある場合、図７（ｂ）に示すように、光源駆動部１４は、第１発光素子１２Ａ1、１２Ｃ1および第２発光素子１２Ａ2、１２Ｃ2を点灯させる（第２モード）。その結果、第１発光素子１２Ａ1、１２Ｃ1は検出光Ｌ２ａ1、Ｌ２ｃ1を出射し、第２発光素子１２Ａ2、１２Ｃ2は検出光Ｌ２ａ2、Ｌ２ｃ2を出射する。かかる検出光Ｌ２ａ1、Ｌ２ａ2は、連続した一体の検出光Ｌ２ａとして出射され、検出光Ｌ２ｃ1、Ｌ２ｃ2は、連続した一体の検出光Ｌ２ｃとして出射される。この状態における検出空間１０Ｒ（検出空間１０Ｒ2）のＸ軸方向におけるサイズは、図７（ｂ）に矢印ＸＳ2で示す範囲まで連続して拡張され、検出空間１０Ｒ（検出空間１０Ｒ2）のＺ軸方向におけるサイズは、図７（ｂ）に矢印ＺＳ2で示す範囲まで拡張される。その際、光源駆動部１４は、第２発光素子１２Ａ2、１２Ｃ2からの検出光Ｌ２の出射強度を第１発光素子１２Ａ1、１２Ｃ1からの検出光Ｌ２の出射強度より大とする。このため、検出空間１０Ｒを拡張する前後において、検出空間１０Ｒにおける光強度分布等に大きな変化が発生しない。なお、第２検出用光源部１２Ｂおよび第４検出用光源部１２Ｄでも、同様な切り換えを行なえば、検出空間１０ＲをＹ軸方向に拡張することができる。
【００８３】
次に、対象物体Ｏｂがさらに広い範囲に存在する可能性がある場合、図７（ｃ）に示すように、光源駆動部１４は、第１発光素子１２Ａ1、１２Ｃ1、第２発光素子１２Ａ2、１２Ｃ2、および第３発光素子１２Ａ3、１２Ｃ3を点灯させる（第２モード）。その結果、第１発光素子１２Ａ1、１２Ｃ1は検出光Ｌ２ａ1、Ｌ２ｃ1を出射し、第２発光素子１２Ａ2、１２Ｃ2は検出光Ｌ２ａ2、Ｌ２ｃ2を出射し、第３発光素子１２Ａ3、１２Ｃ3は検出光Ｌ２ａ3、Ｌ２ｃ3を出射する。かかる検出光Ｌ２ａ1、Ｌ２ａ2、Ｌ２ａ3は、連続した一体の検出光Ｌ２ａとして出射され、検出光Ｌ２ｃ1、Ｌ２ｃ2、Ｌ２ｃ3は、連続した一体の検出光Ｌ２ｃとして出射される。この状態における検出空間１０Ｒ（検出空間１０Ｒ3）のＸ軸方向におけるサイズは、図７（ｃ）に矢印ＸＳ3で示す範囲まで拡張され、検出空間１０Ｒ（検出空間１０Ｒ3）のＺ軸方向におけるサイズは、図７（ｃ）に矢印ＺＳ3で示す範囲まで拡張される。その際、光源駆動部１４は、第２発光素子１２Ａ2、１２Ｃ2からの検出光Ｌ２の出射強度を第１発光素子１２Ａ1、１２Ｃ1からの検出光Ｌ２の出射強度より大とし、第３発光素子１２Ａ3、１２Ｃ3からの検出光Ｌ２の出射強度を第２発光素子１２Ａ2、１２Ｃ2からの検出光Ｌ２の出射強度より大とする。このため、検出空間１０Ｒを拡張する前後において、検出空間１０Ｒにおける光強度分布等に大きな変化が発生しない。なお、第２検出用光源部１２Ｂおよび第４検出用光源部１２Ｄでも、同様な切り換えを行なえば、検出空間１０ＲをＹ軸方向に拡張することができる。
【００８４】
（本形態の主な効果）
以上説明したように、本形態の位置検出機能付き機器１の光学式位置検出装置１０Ａでは、光源駆動部１４は、複数の検出用光源部１２を順次点灯させ、その間、光検出部３０は、対象物体Ｏｂで反射した検出光Ｌ３を受光する。従って、光検出部３０での検出結果を直接、あるいは光検出部３０を介して２つの検出用光源部１２を差動させたときの駆動電流を用いれば、位置検出部５０は、対象物体Ｏｂの位置を検出することができる。
【００８５】
ここで、第１検出用光源部１２Ａ〜第４検出用光源部１２Ｄは、第１発光素子１２Ａ1、１２Ｂ1、１２Ｃ1、１２Ｄ1〜第３発光素子１２Ａ3、１２Ｂ3、１２Ｃ3、１２Ｄ3を備えており、光源駆動部１４は、第１発光素子１２Ａ1〜１２Ｄ1のみを点灯させる第１モード、および第１発光素子１２Ａ1〜１２Ｄ1を含む複数の発光素子を点灯させる第２モードを実行可能である。また、第１検出用光源部１２Ａ〜第４検出用光源部１２Ｄの各々において、発光素子の中心光軸は並列しており、第１発光素子１２Ａ1、１２Ｂ1、１２Ｃ1、１２Ｄ1、第２発光素子１２Ａ2、１２Ｂ2、１２Ｃ2、１２Ｄ2、および第３発光素子１２Ａ3、１２Ｂ3、１２Ｃ3、１２Ｄ3は、この順に検出空間１０Ｒの内側から外側に中心光軸を向けている。このため、対象物体Ｏｂの検出空間１０Ｒを広く設定する場合には、点灯する発光素子の数を増やして出射空間を広げる一方、対象物体Ｏｂの検出空間１０Ｒを狭く設定する場合には、点灯する発光素子の数を減らして出射空間を狭めることができる。従って、光源を点灯させる電力を無駄に消費することがないので、消費電力の削減を図ることができる。特に本形態では、光源駆動部１４は、複数の発光素子のうち、１つの発光素子を点灯させる第１モードを実行可能であるため、検出空間１０Ｒを最小限まで狭めることができるので、光源を点灯させるのに消費する電力を大幅に削減することができる。また、検出光Ｌ２の出射空間（検出空間１０Ｒ）が可変であるため、特定の狭い空間内の対象物体Ｏｂのみを検出することもできる。
【００８６】
また、本形態では、２つの検出用光源部１２での差動、あるいは検出用光源部１２と参照用光源１２Ｒとの差動を利用しているため、環境光等の影響を自動的に補正することができる。さらに、検出光Ｌ２は赤外光であるため、視認されない。従って、本形態の光学式位置検出装置１０Ａを表示装置に適用した場合でも表示を妨げない等、光学式位置検出装置１０Ａを各種機器に用いることができる。
【００８７】
［実施の形態１に係る位置検出機能付き機器１の具体例１］
図８を参照して、位置検出機能付き機器１の視認面構成部材４０として直視型画像生成装置を用いて、位置検出機能付き機器１を位置検出機能付き直視型表示装置として構成した例を説明する。
【００８８】
図８は、本発明の実施の形態１に係る位置検出機能付き機器１の具体例１（位置検出機能付き直視型表示装置）の分解斜視図である。なお、本形態の位置検出機能付き機器１（位置検出機能付き直視型表示装置）において、光学式位置検出装置１０Ａの構成は、図１〜図７を参照して説明した構成と同様であるため、共通する部分については同一の符号を付してそれらの説明を省略する。
【００８９】
図８に示す位置検出機能付き直視型表示装置１００（位置検出機能付き機器１）は、図１〜図７を参照して説明した光学式位置検出装置１０Ａと、画像生成装置としての液晶装置１０９（直視型表示装置／視認面構成部材４０）を備えており、液晶装置１０９の一方の面によって情報が視認される視認面４１が構成されている。本形態でも、光学式位置検出装置１０Ａは、対象物体Ｏｂの位置を検出する検出空間１０Ｒに検出光Ｌ２を出射する位置検出用の光源装置１１と、対象物体Ｏｂで反射した検出光Ｌ３を検出する光検出部３０とを有しており、光源装置１１は、複数の検出用光源部１２（第１検出用光源部１２Ａ〜第４検出用光源部１２Ｄ）と、参照用光源１２Ｒとを備えている。液晶装置１０９は、視認面４１に画像表示領域２０Ｒを備えており、かかる画像表示領域２０Ｒは、Ｚ軸方向からみたとき検出空間１０Ｒと重なっている。
【００９０】
液晶装置１０９は、光源装置１１に対して検出光Ｌ２の出射側に液晶パネル１０９ａを備えている。液晶パネル１０９ａは、透過型の液晶パネルであり、２枚の透光性基板２１、２２をシール材で貼り合わせ、基板間に液晶層を充填した構造を有している。液晶パネル１０９ａは、アクティブマトリクス型液晶パネルであり、２枚の透光性基板２１、２２の一方側には透光性の画素電極、データ線、走査線、画素スイッチング素子（図示せず）が形成され、他方側には透光性の共通電極（図示せず）が形成されている。なお、画素電極および共通電極が同一の基板に形成されることもある。かかる液晶パネル１０９ａでは、各画素に対して走査線を介して走査信号が出力され、データ線を介して画像信号が出力されると、複数の画素の各々で液晶層の配向が制御される結果、画像表示領域２０Ｒに画像が形成される。液晶パネル１０９ａにおいて、一方の透光性基板２１には、他方の透光性基板２２の外形より周囲に張り出した基板張出部２１ｔが設けられている。この基板張出部２１ｔの表面上には駆動回路等を構成する電子部品２５が実装されている。また、基板張出部２１ｔには、フレキシブル配線基板（ＦＰＣ）等の配線部材２６が接続されている。なお、基板張出部２１ｔ上には配線部材２６のみが実装されていてもよい。
【００９１】
液晶パネル１０９ａにおいて、光源装置１１が位置する側（検出光Ｌ２の入射側）には第１偏光板１８８が重ねて配置され、光源装置１１が位置する側とは反対側（検出光Ｌ２の出射側）には第２偏光板１８９が重ねて配置されている。
【００９２】
このように構成した液晶装置１０９において、対象物体Ｏｂの位置を検出するためには、検出光Ｌ２を対象物体Ｏｂが位置する検出空間１０Ｒに出射させる必要がある。また、液晶パネル１０９ａは、光強度分布変換用液晶装置１６よりも検出空間１０Ｒの側に配置されている。このため、液晶パネル１０９ａにおいて、画像表示領域２０Ｒは、検出光Ｌ２を透過可能に構成されている。
【００９３】
液晶装置１０９は、液晶パネル１０９ａを照明するための照明装置７０を備えている。本形態において、照明装置７０は、光源装置１１より検出光Ｌ２の出射側に配置されている。照明装置７０は、照明用光源７１と、この照明用光源７１から放出される照明光を伝播させながら出射する照明用導光板７３とを備えており、照明用導光板７３は、矩形の平面形状を備えている。照明用光源７１は、例えばＬＥＤ（発光ダイオード）等の発光素子で構成され、駆動回路（図示せず）から出力される駆動信号に応じて、例えば白色の照明光Ｌ４を放出する。本形態において、照明用光源７１は、照明用導光板７３の辺部分７３ａに沿って複数、配列されている。
【００９４】
かかる照明装置７０において、照明用光源７１から出射された照明光は、照明用導光板７３の辺部分７３ａから照明用導光板７３の内部に入射した後、照明用導光板７３の内部を反対側の外縁部７３ｂに向けて伝播し、一方の表面である光出射部７３ｓから出射される。ここで、照明用導光板７３は、辺部分７３ａ側から反対側の外縁部７３ｂに向けて内部伝播光に対する光出射部７３ｓからの出射光の光量比率が単調に増加する導光構造を有している。かかる導光構造は、例えば、照明用導光板７３の光出射部７３ｓ、または背面７３ｔに形成された光偏向用あるいは光散乱用の微細な凹凸形状の屈折面の面積、印刷された散乱層の形成密度等を上記内部伝播方向に向けて徐々に高めることで実現される。このような導光構造を設けることで、辺部分７３ａから入射した照明光Ｌ４は光出射部７３ｓからほぼ均一に出射される。
【００９５】
液晶装置１６において、照明装置７０と液晶パネル１０９ａとの間には光学シート６０が配置されている。本形態においては、光学シート６０として、第１プリズムシート６１と、第２プリズムシート６２、および光散乱板６３が順に積層されている。なお、光学シート６０には矩形枠状の遮光シート６７が配置されており、かかる遮光シート６７は検出光Ｌ２が漏れるのを防止する。
【００９６】
このように構成した位置検出機能付き直視型表示装置１００では、検出用光源部１２は、液晶装置１０９（視認面構成部材４０）において視認面４１側とは反対側から視認面４１側に位置する検出空間１０Ｒに検出光Ｌ２を出射し、光検出部３０は、対象物体Ｏｂで反射して液晶装置１０９を透過してきた検出光Ｌ３を検出する。従って、位置検出機能付き直視型表示装置１００では、対象物体Ｏｂの位置を検出することができるので、液晶装置１０９で表示された画像を指先等の対象物体Ｏｂで指示すると、所定の情報入力を行なうことができる。その際、検出空間１０ＲのＸ軸方向およびＹ軸方向のサイズを切り換えれば、対象物体Ｏｂ（指先等）による入力範囲を変更することができる。また、検出空間１０ＲのＺ軸方向のサイズを切り換えれば、対象物体Ｏｂが視認面４１に接している場合の検出と、対象物体Ｏｂが視認面４１から離間している場合の検出とを別々に行なうことができる。
【００９７】
［実施の形態１の位置検出機能付き機器１の具体例２］
図９を参照して、位置検出機能付き機器１の視認面構成部材４０としてスクリーンを用い、位置検出機能付き機器１を位置検出機能付きスクリーン装置として構成した例を説明する。
【００９８】
図９は、本発明の実施の形態１の位置検出機能付き機器１の具体例２（位置検出機能付きスクリーン装置）の説明図であり、図９（ａ）、（ｂ）は、位置検出機能付きスクリーン装置を斜め上からみた様子を模式的に示す説明図、および横方向からみた様子を模式的に示す説明図である。なお、本形態の位置検出機能付き機器１（位置検出機能付きスクリーン装置）において、本形態の位置検出機能付き機器１（位置検出機能付きスクリーン装置）において、光学式位置検出装置１０Ａの構成は、図１〜図７を参照して説明した構成と同様であるため、共通する部分については同一の符号を付してそれらの説明を省略する。
【００９９】
図９（ａ）、（ｂ）に示す位置検出機能付きスクリーン装置８（位置検出機能付き機器１）は、液晶プロジェクターあるいはデジタル・マイクロミラー・デバイスと称せられる画像投射装置２５０（画像生成装置）から画像が投射されるスクリーン８０（視認面構成部材４０）と、図１〜図７を参照して説明した光学式位置検出装置１０Ａとを備えており、画像投射装置２５０は、筐体２４０の前面部２４１に設けられた投射レンズ系２１０からスクリーン装置８に向けて画像表示光Ｐｉを拡大投射する。従って、位置検出機能付きスクリーン装置８では、スクリーン８０において画像が投射されるスクリーン面８ａによって、情報が視認される視認面４１が構成されている。
【０１００】
かかる位置検出機能付きスクリーン装置８において、光学式位置検出装置１０Ａは、スクリーン８０の裏面８ｂの側に、検出光Ｌ２を出射する位置検出用の光源装置１１と、対象物体Ｏｂで反射した検出光Ｌ３を検出する光検出部３０とを備えており、光源装置１１は、複数の検出用光源部１２（第１検出用光源部１２Ａ〜第４検出用光源部１２Ｄ）と、参照用光源１２Ｒとを備えている。このため、検出用光源部１２は、スクリーン８０（視認面構成部材４０）において視認面４１側とは反対側から視認面４１側に設定された検出空間１０Ｒに検出光Ｌ２を出射することになる。また、光検出部３０は、対象物体Ｏｂで反射してスクリーン８０を透過してきた検出光Ｌ３を検出することになる。従って、スクリーン８０として、検出光Ｌ２に対する透光性を備えているものが用いられている。より具体的には、スクリーン８０は、スクリーン面８ａ側に白い塗料が塗ってある布地や、エンボス加工された白いビニール素材からなるホワイトスクリーンからなり、赤外光からなる検出光Ｌ２に対して透光を有している、スクリーン８０としては、光の反射率を高めるために高銀色としたシルバースクリーン、スクリーン面８ａ側を構成する布地表面に樹脂加工を行なって光の反射率を高めたパールスクリーン、スクリーン面８ａ側に細かいガラス粉末が塗布して光の反射率を高めたピーススクリーンを用いることができ、このような場合も、スクリーン８０は、赤外光からなる検出光Ｌ２に対して透光性を備えている。なお、スクリーン８０は、表示される画像の品位を高めることを目的に、裏面８ｂに黒色の遮光層が形成される場合があり、このような場合、遮光層には、穴からなる透光部を複数形成しておく。
【０１０１】
このように構成した位置検出機能付きスクリーン装置８において、検出空間１０Ｒは、スクリーン装置８に対する法線方向からみたとき四角形の領域であり、スクリーン装置８において画像投射装置２５０によって画像が投射される領域（画像表示領域２０Ｒ）と重なっている。このため、本形態の位置検出機能付きスクリーン装置８では、例えば、スクリーン８０に投射された画像の一部に指先等の対象物体Ｏｂを接近させれば、かかる対象物体Ｏｂの位置を画像の切り換え指示等といった入力情報として利用することができる。その際、検出空間１０ＲのＸ軸方向およびＹ軸方向のサイズを切り換えれば、対象物体Ｏｂ（指先等）による入力範囲を変更することができる。また、検出空間１０ＲのＺ軸方向のサイズを切り換えれば、対象物体Ｏｂがスクリーン８０（視認面４１）に接している場合の検出と、対象物体Ｏｂがスクリーン８０から離間している場合の検出とを別々に行なうことができる。
【０１０２】
なお、本形態では、位置検出機能付きスクリーン装置８として、画像投射装置２５０から画像が投射される投射型表示装置用のスクリーン装置を説明したが、電子黒板用のスクリーンに光学式位置検出装置１０Ａを設けて電子黒板用の位置検出機能付きスクリーン装置を構成してもよい。
【０１０３】
［実施の形態１に係る位置検出機能付き機器１の具体例３］
図１０を参照して、位置検出機能付き機器１の視認面構成部材４０として、情報としての展示品を覆う透光部材を用いて、位置検出機能付き機器１を位置検出機能付きウインドウとして構成した例を説明する。
【０１０４】
図１０は、本発明の実施の形態１に係る位置検出機能付き機器１の具体例３（位置検出機能付きウインドウ）の説明図であり、図１０（ａ）、（ｂ）は、位置検出機能付きウインドウを外側（視認面側）からみた様子を模式的に示す説明図、およびその断面を模式的に示す説明図である。なお、本形態の位置検出機能付き機器１（位置検出機能付きウインドウ）において、光学式位置検出装置１０Ａの構成は、図１〜図７を参照して説明した構成と同様であるため、共通する部分については同一の符号を付してそれらの説明を省略する。
【０１０５】
図１０（ａ）、（ｂ）に示す位置検出機能付きウインドウ４００（位置検出機能付き機器１）は、情報としての展示品４５０を覆う透光部材４４０（視認面構成部材４０）を備えており、透光部材４４０の外面４４１によって展示品４５０の視認面（視認面４１）が構成されている。また、位置検出機能付きウインドウ４００において、展示品４５０は、展示品４５０に前進や旋回等の動作を行なわせるアクチュエータ（図示せず）に保持されている。
【０１０６】
かかる位置検出機能付きウインドウ４００は、透光部材４４０の内面４４２の側に、図１〜図７を参照して説明した光学式位置検出装置１０Ａの光源装置１１および光検出部３０を備えており、光源装置１１の複数の検出用光源部１２（第１検出用光源部１２Ａ〜第４検出用光源部１２Ｄ）は、透光部材４４０の内側から外面４４１（視認面４１）の側に検出光Ｌ２を出射することになる。また、光検出部３０は、対象物体Ｏｂで反射して透光部材４４０を透過してきた検出光Ｌ３を検出することになる。
【０１０７】
このように構成した位置検出機能付きウインドウ４００において、透光部材４４０の外面４４１側には光学式位置検出装置１０Ａの検出空間１０Ｒが設定されている。従って、検出空間１０Ｒにおいて指先等の対象物体Ｏｂを接近させれば、かかる対象物体Ｏｂの位置を展示品４５０の向きを切り換える指示等といった入力情報として利用することができる。例えば、指先等の対象物体Ｏｂの位置を下方にずらしていけば、展示品４５０を透光部材４４０に接近させ、指先等の対象物体Ｏｂの位置を右側にずらしていけば、展示品４５０を右回りに旋回させる等、展示品４５０の向きを変更することができる。その際、検出空間１０ＲのＸ軸方向およびＹ軸方向のサイズを切り換えれば、対象物体Ｏｂ（指先等）による入力範囲を変更することができる。また、検出空間１０ＲのＺ軸方向のサイズを切り換えれば、対象物体Ｏｂが透光部材４４０の外面４４１（視認面４１）に接している場合の検出と、対象物体Ｏｂが透光部材４４０の外面４４１から離間している場合の検出とを別々に行なうことができる。
【０１０８】
［実施の形態１に係る位置検出機能付き機器１の具体例４］
図１１を参照して、位置検出機能付き機器１の視認面構成部材４０として、パチンコ台等のアミューズメント機器において遊技用媒体を支持する基盤を用い、アミューズメント機器を位置検出機能付きアミューズメント機器として構成した例を説明する。
【０１０９】
図１１は、本発明の実施の形態１に係る位置検出機能付き機器１の具体例４（位置検出機能付きアミューズメント機器）の説明図であり、図１１（ａ）、（ｂ）は、位置検出機能付きアミューズメント機器を正面（視認面側）からみた様子を模式的に示す説明図、およびその断面を模式的に示す説明図である。なお、本形態の位置検出機能付き機器１（位置検出機能付きアミューズメント機器）において、光学式位置検出装置１０Ａの構成は、図１〜図７を参照して説明した構成と同様であるため、共通する部分については同一の符号を付してそれらの説明を省略する。
【０１１０】
図１１（ａ）、（ｂ）に示す位置検出機能付きアミューズメント機器５００（位置検出機能付き機器１）は、パチンコ玉等の遊技媒体５０１を支持する板状の基盤５２０（視認面構成部材４０）、基盤５２０を保持する外枠５１０、遊技媒体５１０を基盤５２０上に送り出す位置等を設定するハンドル５７０、遊技媒体５０１を受ける受け皿５６０等を備えている。基盤５２０の表面５２１（視認面４１）は、ガラス板５３０で覆われており、基盤５２０の表面５２１において、ガラス板５３０の内側には、遊技媒体５０１に対するガイドレール５２５や、遊技媒体５０１の動きを変化させる釘５２８や、入賞口５８０、５９０等が設けられている。また、基盤５２０の表面５２１において、ガラス板５３０の内側には、遊技媒体５０１が入賞口５８０に入るたびに行われる抽選の結果等が表示される液晶装置５４０が設けられている。
【０１１１】
かかる位置検出機能付きアミューズメント機器５００において、基盤５２０の裏面５２２には、図１〜図７を参照して説明した光学式位置検出装置１０Ａの光源装置１１、および光検出部３０が設けられており、光源装置１１の複数の検出用光源部１２は、基盤５２０の裏面５２２側から表面４５２（視認面４１）の側に設定された検出空間１０Ｒに検出光Ｌ２を出射する。また、光検出部３０は、対象物体Ｏｂで反射して透光部材４４０を透過してきた検出光Ｌ３を検出することになる。
【０１１２】
このように光学式位置検出装置１０Ａを配置するにあたって、本形態では、液晶装置５４０が、図８を参照して説明した位置検出機能付き直視型表示装置１００として構成されている。すなわち、液晶装置５４０の裏面側に光源装置１１および光検出部３０が設けられている。このため、本形態の位置検出機能付きアミューズメント機器５００では、基盤５２０の表面４５２側（視認面４１側）のうち、液晶装置５４０と重なる領域に検出空間１０Ｒが設定されている。また、本形態では、ガラス板５３０の外面側を検出空間１０Ｒとし、かかる検出空間１０Ｒに位置する対象物体Ｏｂの位置を検出する。
【０１１３】
このため、遊技者が液晶装置５４０で表示されている内容や遊技に進行に合わせて検出空間１０Ｒに指先等の対象物体Ｏｂを接近させれば、かかる対象物体Ｏｂの位置を、液晶装置５４０で表示されている内容を切り換える指示等といった入力情報として利用することができる。その際、検出空間１０ＲのＸ軸方向およびＹ軸方向のサイズを切り換えれば、指先（対象物体Ｏｂ）による入力範囲を変更することができる。また、検出空間１０ＲのＺ軸方向のサイズを切り換えれば、遊技者の指先（対象物体Ｏｂ）がガラス板５３０に接している場合の検出と、遊技者の指先（対象物体Ｏｂ）がガラス板５３０から離間している場合の検出とを別々に行なうことができる。
【０１１４】
［実施の形態１に係る位置検出機能付き機器１の具体例４の変形例］
図１２は、本発明を適用した別の位置検出機能付きアミューズメント機器（位置検出機能付き機器１）の説明図であり、図１２（ａ）、（ｂ）は、位置検出機能付きアミューズメント機器を正面（視認面側）からみた様子を模式的に示す説明図、およびその断面を模式的に示す説明図である。なお、本形態の位置検出機能付きアミューズメント機器において、光学式位置検出装置１０Ａの構成は、図１〜図７を参照して説明した構成と同様であるため、共通する部分については同一の符号を付してそれらの説明を省略する。また、本形態の位置検出機能付きアミューズメント機器は、図１１を参照して説明した構成と同様であるため、共通する部分については同一の符号を付してそれらの説明を省略する。
【０１１５】
図１２（ａ）、（ｂ）に示す位置検出機能付きアミューズメント機器５００（位置検出機能付き機器１）も、図１２を参照して説明した構成と同様、パチンコ玉からなる遊技媒体５０１を支持する基盤５２０（視認面構成部材４０）の裏面５２２には、図１〜図７を参照して説明した光学式位置検出装置１０Ａの光源装置１１および光検出部３０が設けられており、光源装置１１の複数の検出用光源部１２は、基盤５２０の裏面５２２側から表面４５２（視認面４１）の側に検出光Ｌ２を出射する。また、光検出部３０は、対象物体Ｏｂで反射して透光部材４４０を透過してきた検出光Ｌ３を検出することになる。
【０１１６】
本形態では、液晶装置５４０も含めて、基盤５２０全体が赤外光からなる検出光Ｌ２を透過可能である。従って、本形態では、基盤５２０の裏面５２２全体を利用して光源装置１１および光検出部３０が設けられている。このため、本形態の位置検出機能付きアミューズメント機器５００では、基盤５２０の表面４５２側（視認面４１側）のうち、基盤５００と重なる全域に検出空間１０Ｒが設定されている。また、本形態では、ガラス板５３０の外面側に検出空間１０Ｒが設定されている。
【０１１７】
このため、遊技者が液晶装置５４０で表示されている内容や遊技に進行に合わせて検出空間１０Ｒに指先等の対象物体Ｏｂを接近させれば、かかる対象物体Ｏｂの位置を、液晶装置５４０で表示されている内容を切り換える指示等といった入力情報として利用することができる。また、ハンドル５７０の操作に代えて、基盤５２０の上辺側のいずれかに指先等の対象物体Ｏｂを接近させれば、かかる指定個所を、遊技媒体５０１を基盤５２０上に送り出す際の強度を指定する指示等といった入力情報として利用することができる。その際、検出空間１０ＲのＸ軸方向およびＹ軸方向のサイズを切り換えれば、指先（対象物体Ｏｂ）による入力範囲を変更することができる。また、検出空間１０ＲのＺ軸方向のサイズを切り換えれば、遊技者の指先（対象物体Ｏｂ）がガラス板５３０に接している場合の検出と、遊技者の指先（対象物体Ｏｂ）がガラス板５３０から離間している場合の検出とを別々に行なうことができる。さらに、検出空間１０ＲのＺ軸方向のサイズをガラス板５３０の内側まで狭めれば、遊技媒体５０１を対象物体Ｏｂとして、基盤５２０の領域毎に遊技媒体５０１が通過する数等を検出することもできる。なお、基盤５２０のうち、検出用光源部や光検出部が配置されている個所のみを透光部としてもよい。
【０１１８】
［実施の形態２］
（全体構成）
図１３は、本発明の実施の形態２に係る位置検出機能付き機器１の主要部を模式的に示す説明図である。図１４は、本発明の実施の形態２に係る位置検出機能付き機器１の光学式位置検出装置における検出用光源部と検出空間との位置関係を模式的に示す説明図であり、図１４（ａ）、（ｂ）は、検出用光源部における発光素子の配置を示す説明図、および発光素子から中心光軸が延在している方向を示す説明図である。なお、本形態の基本的な構成は、実施の形態１と同様であるため、共通する部分には同一の符合を付してそれらの説明を省略する。
【０１１９】
図１３において、本形態の位置検出機能付き機器１は、情報が視認される視認面４１を備えた視認面構成部材４０と、視認面構成部材４０に対して視認面４１側（Ｚ軸方向の一方側Ｚ１）に位置する対象物体Ｏｂの位置を検出する光学式位置検出装置１０Ｂとを有しており、後述する位置検出機能付き投射型表示装置等として利用される。
【０１２０】
光学式位置検出装置１０Ｂは、Ｚ軸方向の一方側Ｚ１から他方側Ｚ２に向けて検出光Ｌ２を出射する複数の検出用光源部１２を備えた光源装置１１と、対象物体Ｏｂで反射した検出光Ｌ３をＺ軸方向の他方側Ｚ２で検出する光検出部３０とを備えている。視認面構成部材４０は、検出用光源部１２および光検出部３０に対してＺ軸方向の他方側Ｚ２に位置するシート状あるいは板状の部材からなる。従って、検出用光源部１２、参照用光源１２Ｒ、および光検出部３０は、視認面構成部材４０の視認面４１側に配置されている。なお、本形態の光学式位置検出装置１０Ｂでも、図３を参照して説明した電気的構成を有しており、複数の検出用光源部１２は、図３を参照して説明した光源駆動部１４によって駆動される。
【０１２１】
（検出用光源部１２等の詳細構成）
本形態において、光源装置１１は、複数の検出用光源部１２として、第１検出用光源部１２Ａ、第２検出用光源部１２Ｂ、第３検出用光源部１２Ｃおよび第４検出用光源部１２Ｄを備えており、これらの検出用光源部１２はいずれも、発光部をＺ軸方向の他方側Ｚ２に向けている。また、第１検出用光源部１２Ａ〜第４検出用光源部１２Ｄは、互いに異なる光軸を備えており、Ｚ軸方向の他方側Ｚ２のうち、互いに異なる位置に向けて検出光Ｌ２（検出光Ｌ２ａ〜Ｌ２ｄ）を出射する。本形態において、第１検出用光源部１２Ａ〜第４検出用光源部１２Ｄは各々、視認面４１上の４角形の４つの角部分のうち、互いに異なる角部分に光軸を向けている。より具体的には、第１検出用光源部１２Ａの光軸と第２検出用光源部１２Ｂの光軸は、Ｘ軸方向で同一位置にあるが、Ｙ軸方向でずれており、第３検出用光源部１２Ｃの光軸と第４検出用光源部１２Ｄの光軸は、Ｘ軸方向で同一位置にあるが、Ｙ軸方向にずれている。また、第１検出用光源部１２Ａの光軸と第４検出用光源部１２Ｄの光軸は、Ｙ軸方向で同一位置にあるが、Ｘ軸方向にずれており、第２検出用光源部１２Ｂの光軸と第３検出用光源部１２Ｃの光軸は、Ｙ軸方向で同一位置にあるが、Ｘ軸方向にずれている。
【０１２２】
このようにして検出光Ｌ２が出射される出射空間によって、対象物体Ｏｂの位置が検出される検出空間１０Ｒが構成されており、かかる検出空間１０Ｒにおいて対象物体Ｏｂで反射した検出光Ｌ３が光検出部３０で受光される。
【０１２３】
また、光源装置１１は、光検出部３０に発光部を向けた参照用光源１２Ｒも備えている。参照用光源１２Ｒは、ＬＥＤ（発光ダイオード）等により構成され、参照用光源１２Ｒは、ピーク波長が８４０〜１０００ｎｍに位置する赤外光からなる参照光Ｌｒを発散光として放出する。但し、参照用光源１２Ｒから出射される参照光Ｌｒは、参照用光源１２Ｒの向きや、参照用光源１２Ｒに設けられる遮光カバー（図示せず）等によって、検出空間１０Ｒを介さずに光検出部３０に入射するようになっている。光検出部３０は、検出空間１０Ｒに受光部を向けたフォトダイオードやフォトトランジスター等からなり、本形態において、光検出部３０は赤外域に感度ピークを備えたフォトダイオードである。
【０１２４】
図１３および図１４（ａ）に示すように、本形態において、第１検出用光源部１２Ａ〜第４検出用光源部１２Ｄは、検出空間１０Ｒ（Ｚ軸方向）からみたとき、光検出部３０の中心光軸の周りにこの順に配置されており、光検出部３０は、複数の検出用光源部１２より内側に位置する。
【０１２５】
本形態の光学式位置検出装置１０Ｂにおいて、複数の検出用光源部１２は各々、互いの光軸が並行する複数の発光素子を備えており、本形態において、検出用光源部１２は、３つの発光素子を備えている。より具体的には、第１検出用光源部１２Ａは、検出空間１０ＲのＸＹ平面内における最も内側に中心光軸を向ける第１発光素子１２Ａ1と、第１発光素子１２Ａ1よりも検出空間１０Ｒの外側に中心光軸を向ける第２発光素子１２Ａ2と、第２発光素子１２Ａ2よりも検出空間１０Ｒの外側に中心光軸を向ける第３発光素子１２Ａ3とを備えている。ここで、検出空間１０Ｒおよび視認面４１において第１発光素子１２Ａ1〜第３発光素子１２Ａ3の中心光軸が通る個所は、検出空間１０ＲのＸＹ平面内（視認面において同一直線上に並んでいる。同様に、第２検出用光源部１２Ｂ〜第４検出用光源部１２Ｄは、検出空間１０ＲのＸＹ平面内における最も内側に中心光軸を向ける第１発光素子１２Ｂ1〜１２Ｄ1と、第１発光素子１２Ｂ1〜１２Ｄ1よりも検出空間１０Ｒの外側に中心光軸を向ける第２発光素子１２Ｂ2〜１２Ｄ2と、第２発光素子１２Ｂ2〜１２Ｄ2よりも検出空間１０Ｒの外側に中心光軸を向ける第３発光素子１２Ｂ3〜１２Ｄ3とを備えている。また、検出空間１０Ｒおよび視認面４１において第１発光素子１２Ｂ1〜第３発光素子１２Ｂ3の中心光軸が通る個所は、ＸＹ平面内において同一直線上に並んでいる。検出空間１０Ｒおよび視認面４１において第１発光素子１２Ｃ1〜第３発光素子１２Ｃ3の中心光軸が通る個所は、ＸＹ平面内において同一直線上に並んでいる。検出空間１０Ｒおよび視認面４１において第１発光素子１２Ｄ1〜第３発光素子１２Ｄ3の中心光軸が通る個所は、ＸＹ平面内において同一直線上に並んでいる。
【０１２６】
第１発光素子１２Ａ1〜１２Ｄ1、第２発光素子１２Ａ2〜１２Ｄ2、および第３発光素子１２Ａ3〜１２Ｄ3はいずれも、ＬＥＤ（発光ダイオード）等により構成され、ピーク波長が８４０〜１０００ｎｍに位置する赤外光からなる検出光Ｌ２（検出光Ｌ２ａ〜Ｌ２ｄ）を発散光として放出する。
【０１２７】
なお、本形態でも、実施の形態１と同様、検出用光源部１２同士の差動、あるいは検出用光源部１２と参照用光源１２Ｒとの差動により、２つの検出用光源部１２のうちの一方の検出用光源部１２の中心光軸と対象物体Ｏｂとの距離と、他方の検出用光源部１２の中心光軸と対象物体Ｏｂとの距離の比を求め、かかる比に基づいて、対象物体Ｏｂの位置を検出する。かかる差動の際、第１発光素子１２Ａ1〜１２Ｄ1、第２発光素子１２Ａ2〜１２Ｄ2、および第３発光素子１２Ａ3〜１２Ｄ3の一部あるいは全部が使用される。
【０１２８】
（検出空間１０Ｒの切り換え）
本形態の光学式位置検出装置１０Ｂでも、実施の形態１と同様、第１検出用光源部１２Ａは、第１発光素子１２Ａ1〜第３発光素子１２Ａ3を備えており、図３を参照して説明した光源駆動部１４は、第１検出用光源部１２Ａにおいて、第１発光素子１２Ａ1のみを点灯させる第１モード、および第１発光素子１２Ａ1を含む複数の発光素子を点灯させる第２モードを実行可能である。同様に、第２検出用光源部１２Ｂ〜第４検出用光源部１２Ｄは、第１発光素子１２Ｂ1、１２Ｃ1、１２Ｄ1〜第３発光素子１２Ｂ3、１２Ｃ3、１２Ｄ3を備えており、図３を参照して説明した光源駆動部１４は、第１発光素子１２Ｂ1〜１２Ｄ1のみを点灯させる第１モード、および第１発光素子１２Ｂ1〜１２Ｄ1を含む複数の発光素子を点灯させる第２モードを実行可能である。
【０１２９】
そこで、本形態では、対象物体Ｏｂが狭い範囲に存在することがわかっている場合には、第１モードを行い、検出空間１０Ｒを狭い範囲に設定する一方、対象物体Ｏｂが広い範囲に存在するような場合には、第２モードを行い、検出空間１０Ｒを拡張する。
【０１３０】
より具体的には、例えば、第１検出用光源部１２Ａおよび第３検出用光源部１２Ｃにおいて、対象物体Ｏｂが狭い範囲に存在することがわかっている場合、図１４（ｂ）に示すように、光源駆動部１４は、第１発光素子１２Ａ1、１２Ｃ1のみを点灯させ、第１発光素子１２Ａ1、１２Ｃ1から検出光Ｌ２ａ1（Ｌ２ａ）、Ｌ２ｃ1（Ｌ２ｃ）を出射させる（第１モード）。この状態における検出空間１０Ｒ（検出空間１０Ｒ1）のＸ軸方向およびＹ軸方向におけるサイズは、図１３および図１４に実線で示す大きさである。
【０１３１】
次に、対象物体Ｏｂがやや広い範囲に存在する可能性がある場合、光源駆動部１４は、第１発光素子１２Ａ1、１２Ｃ1および第２発光素子１２Ａ2、１２Ｃ2を点灯させる（第２モード）。その結果、第１発光素子１２Ａ1、１２Ｃ1は検出光Ｌ２ａ1、Ｌ２ｃ1を出射し、第２発光素子１２Ａ2、１２Ｃ2は検出光Ｌ２ａ2、Ｌ２ｃ2を出射する。かかる検出光Ｌ２ａ1、Ｌ２ａ2は、連続した一体の検出光Ｌ２ａとして出射され、検出光Ｌ２ｃ1、Ｌ２ｃ2は、連続した一体の検出光Ｌ２ｃとして出射される。この状態における検出空間１０Ｒ（検出空間１０Ｒ2）のＸ軸方向およびＹ軸方向におけるサイズは、図１３および図１４に一点鎖線で示す範囲まで拡張される。その際、光源駆動部１４は、第２発光素子１２Ａ2、１２Ｃ2からの検出光Ｌ２の出射強度を第１発光素子１２Ａ1、１２Ｃ1からの検出光Ｌ２の出射強度より大とする。このため、検出空間１０Ｒを拡張する前後において、検出空間１０Ｒにおける光強度分布等に大きな変化が発生しない。
【０１３２】
次に、対象物体Ｏｂがさらに広い範囲に存在する可能性がある場合、光源駆動部１４は、第１発光素子１２Ａ1、１２Ｃ1、第２発光素子１２Ａ2、１２Ｃ2、および第３発光素子１２Ａ3、１２Ｃ3を点灯させる（第２モード）。その結果、第１発光素子１２Ａ1、１２Ｃ1は検出光Ｌ２ａ1、Ｌ２ｃ1を出射し、第２発光素子１２Ａ2、１２Ｃ2は検出光Ｌ２ａ2、Ｌ２ｃ2を出射し、第３発光素子１２Ａ3、１２Ｃ3は検出光Ｌ２ａ3、Ｌ２ｃ3を出射する。かかる検出光Ｌ２ａ1、Ｌ２ａ2、Ｌ２ａ3は、連続した一体の検出光Ｌ２ａとして出射され、検出光Ｌ２ｃ1、Ｌ２ｃ2、Ｌ２ｃ3は、連続した一体の検出光Ｌ２ｃとして出射される。この状態における検出空間１０Ｒ（検出空間１０Ｒ3）のＸ軸方向およびＹ軸方向におけるサイズは、図１３および図１４に二点鎖線で示す範囲まで拡張される。その際、光源駆動部１４は、第２発光素子１２Ａ2、１２Ｃ2からの検出光Ｌ２の出射強度を第１発光素子１２Ａ1、１２Ｃ1からの検出光Ｌ２の出射強度より大とし、第３発光素子１２Ａ3、１２Ｃ3からの検出光Ｌ２の出射強度を第２発光素子１２Ａ2、１２Ｃ2からの検出光Ｌ２の出射強度より大とする。このため、検出空間１０Ｒを拡張する前後において、検出空間１０Ｒにおける光強度分布等に大きな変化が発生しない。
【０１３３】
（Ｚ座標の検出）
本形態の光学式位置検出装置１０Ｂおいても、第１検出用光源部１２Ａ〜第４検出用光源部１２Ｄが同時に点灯すると、Ｚ軸方向で強度が単調減少するＺ座標検出用光強度分布が形成される。従って、参照用光源１２Ｒと、第１検出用光源部１２Ａ〜第４検出用光源部１２Ｄの全てとを交互に点灯させたときの光検出部３０での検出値の差や比に基づいて対象物体ＯｂのＺ座標を検出することができる。また、第１検出用光源部１２Ａ〜第４検出用光源部１２Ｄを順次点灯させたときの光検出部３０での検出値の合計値と、参照用光源１２Ｒを点灯させたときの光検出部３０での検出値の差や比に基づいて対象物体ＯｂのＺ座標を検出してもよい。
【０１３４】
また、参照用光源１２Ｒと第１検出用光源部１２Ａ〜第４検出用光源部１２Ｄの全てとを交互に点灯させたときに光検出部３０での検出値が等しくなったときの参照用光源１２Ｒに対する駆動電流と第１検出用光源部１２Ａ〜第４検出用光源部１２Ｄに対する駆動電流との差や比に基づいて対象物体ＯｂのＺ座標を検出することができる。また、第１検出用光源部１２Ａ〜第４検出用光源部１２Ｄを順次、参照用光源１２Ｒと差動させたときの駆動電流値の合計値と、参照用光源１２Ｒに対する駆動電流との差や比に基づいて対象物体ＯｂのＺ座標を検出してもよい。
【０１３５】
ここで、図１４（ｂ）を参照して説明した第２モードでは、第１モードに比較してＺ座標検出用光強度分布がＸ軸方向およびＹ軸方向に拡張される。
【０１３６】
（本形態の主な効果）
以上説明したように、本形態の光学式位置検出装置１０Ｂでは、光源駆動部１４は、複数の検出用光源部１２を順次点灯させ、その間、光検出部３０は、対象物体Ｏｂで反射した検出光Ｌ３を受光する。従って、光検出部３０での検出結果を直接、あるいは光検出部３０を介して２つの検出用光源部１２を差動させたときの駆動電流を用いれば、位置検出部５０は、対象物体Ｏｂの位置を検出することができる。
【０１３７】
ここで、第１検出用光源部１２Ａ〜第４検出用光源部１２Ｄは、第１発光素子１２Ａ1、１２Ｂ1、１２Ｃ1、１２Ｄ1〜第３発光素子１２Ａ3、１２Ｂ3、１２Ｃ3、１２Ｄ3を備えており、光源駆動部１４は、検出空間１０Ｒの最も内側に中心光軸を向ける第１発光素子１２Ａ1〜１２Ｄ1のみを点灯させる第１モード、および第１発光素子１２Ａ1〜１２Ｄ1を含む複数の発光素子を点灯させる第２モードを実行可能である。また、第１検出用光源部１２Ａ〜第４検出用光源部１２Ｄの各々において、発光素子の中心光軸は並列しており、第１発光素子１２Ａ1、１２Ｂ1、１２Ｃ1、１２Ｄ1、第２発光素子１２Ａ2、１２Ｂ2、１２Ｃ2、１２Ｄ2、および第３発光素子１２Ａ3、１２Ｂ3、１２Ｃ3、１２Ｄ3は、この順に検出空間１０Ｒの内側から外側に中心光軸を向けている。このため、対象物体Ｏｂの検出空間１０Ｒを広く設定する場合には、点灯する発光素子の数を増やして出射空間を広げる一方、対象物体Ｏｂの検出空間１０Ｒを狭く設定する場合には、点灯する発光素子の数を減らして出射空間を狭めることができる。従って、光源を点灯させる電力を無駄に消費することがないので、消費電力の削減を図ることができる。特に本形態では、光源駆動部１４は、複数の発光素子のうち、１つの発光素子を点灯させる第１モードを実行可能であるため、検出空間１０Ｒを最小限まで狭めることができるので、光源を点灯させるのに消費する電力を大幅に削減することができる。また、検出光Ｌ２の出射空間（検出空間１０Ｒ）が可変であるため、特定の狭い空間内の対象物体Ｏｂのみを検出することもできる。
【０１３８】
また、本形態では、２つの検出用光源部１２での差動、あるいは検出用光源部１２と参照用光源１２Ｒとの差動を利用しているため、環境光等の影響を自動的に補正することができる。さらに、検出光Ｌ２は赤外光であるため、視認されない。従って、本形態の光学式位置検出装置１０Ｂを表示装置に適用した場合でも表示を妨げない等、光学式位置検出装置１０Ｂを各種機器に用いることができる。
【０１３９】
［実施の形態２に係る位置検出機能付き機器１の具体例］
図１５を参照して、位置検出機能付き機器１の視認面構成部材４０としてのスクリーンを用い、スクリーンと画像投射装置とによって位置検出機能付き投射型表示装置を構成した例を説明する。
【０１４０】
図１５は、本発明の実施の形態２に係る位置検出機能付き機器１の具体例（位置検出機能付き投射型表示装置）の説明図であり、図１５（ａ）、（ｂ）は、位置検出機能付き投射型表示装置を斜め上からみた様子を模式的に示す説明図、および横方向からみた様子を模式的に示す説明図である。なお、本形態の位置検出機能付き機器１（位置検出機能付き投射型表示装置）において、光学式位置検出装置１０Ｂの構成は、図１３および図１４を参照して説明した構成と同様であるため、共通する部分については同一の符号を付してそれらの説明を省略する。
【０１４１】
図１５（ａ）、（ｂ）に示す位置検出機能付き投射型表示装置２００は、液晶プロジェクターあるいはデジタル・マイクロミラー・デバイスと称せられる画像投射装置２５０（画像生成装置）と、画像投射装置２５０から画像が投射されるスクリーン８０（視認面構成部材４０）と、図１３および図１４を参照して説明した光学式位置検出装置１０Ｂとを備えている。画像投射装置２５０は、筐体２４０の前面部２４１に設けられた投射レンズ系からスクリーン装置８に向けて画像表示光Ｐｉを拡大投射する。かかる投射型表示装置２００では、スクリーン８０において画像が投射されるスクリーン面８ａによって、情報が視認される視認面４１が構成されている。
【０１４２】
かかる位置検出機能付き投射型表示装置２００において、光学式位置検出装置１０Ｂ（光源装置１１や光検出部３０）は、スクリーン８０のスクリーン面８ａ（視認面４１）側に配置された画像投射装置２５０に搭載されている。このため、検出用光源部１２は、画像投射装置２５０からスクリーン８０のスクリーン面８ａに向けて検出光Ｌ２を出射する。また、光検出部３０は、対象物体Ｏｂで反射してきた検出光Ｌ３を画像投射装置２５０において検出する。
【０１４３】
このように構成した位置検出機能付き投射型表示装置２００において、検出空間１０Ｒは、スクリーン８０に対する法線方向からみたとき四角形の領域であり、スクリーン８０において画像投射装置２５０によって画像が投射される領域（画像表示領域２０Ｒ）と重なっている。このため、本形態の位置検出機能付き投射型表示装置２００では、例えば、スクリーン８０に投射された画像の一部に指先等の対象物体Ｏｂを接近させれば、かかる対象物体Ｏｂの位置を画像の切り換え指示等といった入力情報として利用することができる。その際、検出空間１０ＲのＸ軸方向およびＹ軸方向のサイズを切り換えれば、対象物体Ｏｂ（指先等）による入力範囲を変更することができる。
【０１４４】
なお、実施の形態２に係る光学式位置検出装置１０Ｂについても、実施の形態１と同様、位置検出機能付きウインドウ４００や位置検出機能付きアミューズメント装置５００に用いてもよい。
【０１４５】
［実施の形態３］
（全体構成）
図１６は、本発明の実施の形態３に係る位置検出機能付き機器１の主要部を模式的に示す説明図であり、図１６（ａ）、（ｂ）は、検出用光源部における発光素子の配置等を示す説明図、および検出空間１０Ｒを切り換える様子を示す説明図である。なお、本形態の基本的な構成は、実施の形態１と同様であるため、共通する部分には同一の符合を付してそれらの説明を省略する。
【０１４６】
図１６において、本形態の位置検出機能付き機器１は、情報が視認される視認面４１を備えた視認面構成部材４０と、視認面構成部材４０に対して視認面４１側（Ｚ軸方向の一方側Ｚ１）に位置する対象物体Ｏｂの位置を検出する光学式位置検出装置１０Ｃとを有しており、後述する位置検出機能付きスクリーン装置等として利用される。
【０１４７】
光学式位置検出装置１０Ｃは、視認面構成部材４０の視認面４１側に、視認面４１の４つの角部分から対角に向けて検出光Ｌ２を視認面４１に沿うように出射する複数の検出用光源部１２を備えた光源装置１１と、対象物体Ｏｂで反射した検出光Ｌ３をＹ軸方向の一方側Ｙ１で検出する光検出部３０とを備えている。なお、本形態の光学式位置検出装置１０Ｃも、図３を参照して説明した電気的構成を有しており、複数の検出用光源部１２は、図３を参照して説明した光源駆動部１４によって駆動される。
【０１４８】
（検出用光源部１２等の詳細構成）
本形態において、光源装置１１は、複数の検出用光源部１２として、第１検出用光源部１２Ａ〜第４検出用光源部１２Ｄを備えており、これらの検出用光源部１２はいずれも、発光部をＸＹ平面に沿う方向に向けている。また、複数の検出用光源部１２には、検出光Ｌ２の出射空間（検出空間１０Ｒ）を挟む両側で互いに逆向きの方向に検出光Ｌ２を出射する検出用光源部が含まれている。より具体的には、第１検出用光源部１２Ａ、第２検出用光源部１２Ｂ、第３検出用光源部１２Ｃおよび第４検出用光源部１２Ｄは各々、Ｚ軸方向からみたとき、４角形の４つの角部分に配置されており、各々は対角位置に発光部を向けている。このため、第１検出用光源部１２Ａの光軸と第３検出用光源部１２Ｃの光軸は、互いに逆向きに延在し、第２検出用光源部１２Ｂの光軸と第４検出用光源部１２Ｄの光軸は、互いに逆向きに延在している。また、第１検出用光源部１２Ａおよび第３検出用光源部１２Ｃの光軸と、第２検出用光源部１２Ｂおよび第４検出用光源部１２Ｄの光軸は交差する方向に延在している。従って、第１検出用光源部１２Ａ、第２検出用光源部１２Ｂ、第３検出用光源部１２Ｃおよび第４検出用光源部１２Ｄは、互いに異なる光軸を備えている。
【０１４９】
このようにして検出光Ｌ２が出射される出射空間によって、対象物体Ｏｂの位置が検出される検出空間１０Ｒが構成されており、かかる検出空間１０Ｒにおいて対象物体Ｏｂで反射した検出光Ｌ３が光検出部３０で受光される。
【０１５０】
また、光源装置１１は、光検出部３０に発光部を向けた参照用光源１２Ｒも備えている。参照用光源１２Ｒは、ＬＥＤ（発光ダイオード）等により構成され、参照用光源１２Ｒは、ピーク波長が８４０〜１０００ｎｍに位置する赤外光からなる参照光Ｌｒを発散光として放出する。但し、参照用光源１２Ｒから出射される参照光Ｌｒは、参照用光源１２Ｒの向きや、参照用光源１２Ｒに設けられる遮光カバー（図示せず）等によって、検出空間１０Ｒを介さずに光検出部３０に入射するようになっている。光検出部３０は、検出空間１０Ｒに受光部を向けたフォトダイオードやフォトトランジスター等からなり、本形態において、光検出部３０は赤外域に感度ピークを備えたフォトダイオードである。
【０１５１】
本形態の光学式位置検出装置１０において、複数の検出用光源部１２は各々、互いの光軸が並行する複数の発光素子を備えており、本形態において、検出用光源部１２は、３つの発光素子を備えている。より具体的には、第１検出用光源部１２Ａは、Ｚ軸方向において他方側Ｚ２から一方側Ｚ１に並ぶ第１発光素子１２Ａ1、第２発光素子１２Ａ2、および第３発光素子１２Ａ3を備えている。従って、第１検出用光源部１２Ａは、検出空間１０ＲのＺ軸方向の内側に中心光軸を向ける第１発光素子１２Ａ1と、第１発光素子１２Ａ1よりも検出空間１０ＲのＺ軸方向の外側に中心光軸を向ける第２発光素子１２Ａ2と、第２発光素子１２Ａ2よりも検出空間１０ＲのＺ軸方向の外側に中心光軸を向ける第３発光素子１２Ａ3とを備えていることになる。第２検出用光源部１２Ｂ〜第４検出用光源部１２Ｄも、第１検出用光源部１２Ａと同様、Ｚ軸方向において他方側Ｚ２から一方側Ｚ１に並ぶ第１発光素子１２Ｂ1〜１２Ｄ1、第２発光素子１２Ｂ2〜１２Ｄ2、および第３発光素子１２Ｂ3〜１２Ｄ3を備えている。
【０１５２】
第１発光素子１２Ａ1〜１２Ｄ1、第２発光素子１２Ａ2〜１２Ｄ2、および第３発光素子１２Ａ3〜１２Ｄ3はいずれも、ＬＥＤ（発光ダイオード）等により構成され、ピーク波長が８４０〜１０００ｎｍに位置する赤外光からなる検出光Ｌ２（検出光Ｌ２ａ〜Ｌ２ｄ）を発散光として放出する。
【０１５３】
なお、本形態では、検出用光源部１２同士の差動、あるいは検出用光源部１２と参照用光源１２Ｒとの差動により、対象物体ＯｂのＸ座標、Ｙ座標およびＺ座標を求める。
【０１５４】
また、第１検出用光源部１２Ａ〜第４検出用光源部１２Ｄが同時に点灯すると、Ｚ軸方向で強度が単調減少するＺ座標検出用光強度分布が形成される。従って、参照用光源１２Ｒと、第１検出用光源部１２Ａ〜第４検出用光源部１２Ｄの全てとを交互に点灯させたときの光検出部３０での検出値の差や比に基づいて対象物体ＯｂのＺ座標を検出することができる。また、第１検出用光源部１２Ａ〜第４検出用光源部１２Ｄを順次点灯させたときの光検出部３０での検出値の合計値と、参照用光源１２Ｒを点灯させたときの光検出部３０での検出値の差や比に基づいて対象物体ＯｂのＺ座標を検出してもよい。
【０１５５】
また、参照用光源１２Ｒと第１検出用光源部１２Ａ〜第４検出用光源部１２Ｄの全てとを交互に点灯させたときに光検出部３０での検出値が等しくなったときの参照用光源１２Ｒに対する駆動電流と第１検出用光源部１２Ａ〜第４検出用光源部１２Ｄに対する駆動電流との差や比に基づいて対象物体ＯｂのＺ座標を検出することができる。また、第１検出用光源部１２Ａ〜第４検出用光源部１２Ｄを順次、参照用光源１２Ｒと差動させたときの駆動電流値の合計値と、参照用光源１２Ｒに対する駆動電流との差や比に基づいて対象物体ＯｂのＺ座標を検出してもよい。
【０１５６】
かかる差動の際、第１発光素子１２Ａ1〜１２Ｄ1、第２発光素子１２Ａ2〜１２Ｄ2、および第３発光素子１２Ａ3〜１２Ｄ3の一部あるいは全部が使用される。
【０１５７】
（検出空間１０Ｒの切り換え）
本形態の光学式位置検出装置１０Ｃでも、実施の形態１と同様、第１検出用光源部１２Ａは、第１発光素子１２Ａ1〜第３発光素子１２Ａ3を備えており、図３を参照して説明した光源駆動部１４は、第１検出用光源部１２Ａにおいて、第１発光素子１２Ａ1のみを点灯させる第１モード、および第１発光素子１２Ａ1を含む複数の発光素子を点灯させる第２モードを実行可能である。同様に、第２検出用光源部１２Ｂ〜第４検出用光源部１２Ｄは、第１発光素子１２Ｂ1、１２Ｃ1、１２Ｄ1〜第３発光素子１２Ｂ3、１２Ｃ3、１２Ｄ3を備えており、図３を参照して説明した光源駆動部１４は、第１発光素子１２Ｂ1〜１２Ｄ1のみを点灯させる第１モード、および第１発光素子１２Ｂ1〜１２Ｄ1を含む複数の発光素子を点灯させる第２モードを実行可能である。
【０１５８】
そこで、本形態では、対象物体ＯｂがＺ軸方向の狭い範囲に存在することがわかっている場合には、第１モードを行い、検出空間１０Ｒを狭い範囲に設定する一方、対象物体ＯｂがＺ軸方向の広い範囲に存在するような場合には、第２モードを行い、検出空間１０Ｒを拡張する。
【０１５９】
より具体的には、例えば、第１検出用光源部１２Ａおよび第３検出用光源部１２Ｃにおいて、対象物体ＯｂがＺ軸方向の狭い範囲に存在することがわかっている場合、図１６（ｂ）に示すように、光源駆動部１４は、第１発光素子１２Ａ1、１２Ｃ1のみを点灯させ、第１発光素子１２Ａ1、１２Ｃ1から検出光Ｌ２ａ1（Ｌ２ａ）、Ｌ２ｃ1（Ｌ２ｃ）を出射させる（第１モード）。この状態における検出空間１０Ｒ（検出空間１０Ｒ1）のＺ軸方向におけるサイズは、図１６（ｂ）に実線で示す大きさである。
【０１６０】
次に、対象物体ＯｂがＺ軸方向のやや広い範囲に存在する可能性がある場合、光源駆動部１４は、第１発光素子１２Ａ1、１２Ｃ1および第２発光素子１２Ａ2、１２Ｃ2を点灯させる（第２モード）。その結果、第１発光素子１２Ａ1、１２Ｃ1は検出光Ｌ２ａ1、Ｌ２ｃ1を出射し、第２発光素子１２Ａ2、１２Ｃ2は検出光Ｌ２ａ2、Ｌ２ｃ2を出射する。かかる検出光Ｌ２ａ1、Ｌ２ａ2は、連続した一体の検出光Ｌ２ａとして出射され、検出光Ｌ２ｃ1、Ｌ２ｃ2は、連続した一体の検出光Ｌ２ｃとして出射される。この状態における検出空間１０Ｒ（検出空間１０Ｒ2）のＺ軸方向におけるサイズは、図１６（ｂ）に一点鎖線で示す範囲まで拡張される。
【０１６１】
次に、対象物体ＯｂがＺ軸方向のさらに広い範囲に存在する可能性がある場合、光源駆動部１４は、第１発光素子１２Ａ1、１２Ｃ1、第２発光素子１２Ａ2、１２Ｃ2、および第３発光素子１２Ａ3、１２Ｃ3を点灯させる（第２モード）。その結果、第１発光素子１２Ａ1、１２Ｃ1は検出光Ｌ２ａ1、Ｌ２ｃ1を出射し、第２発光素子１２Ａ2、１２Ｃ2は検出光Ｌ２ａ2、Ｌ２ｃ2を出射し、第３発光素子１２Ａ3、１２Ｃ3は検出光Ｌ２ａ3、Ｌ２ｃ3を出射する。かかる検出光Ｌ２ａ1、Ｌ２ａ2、Ｌ２ａ3は、連続した一体の検出光Ｌ２ａとして出射され、検出光Ｌ２ｃ1、Ｌ２ｃ2、Ｌ２ｃ3は、連続した一体の検出光Ｌ２ｃとして出射される。この状態における検出空間１０Ｒ（検出空間１０Ｒ3）のＺ軸方向におけるサイズは、図１６（ｂ）に二点鎖線で示す範囲まで拡張される。
【０１６２】
（本形態の主な効果）
以上説明したように、本形態の光学式位置検出装置１０Ｂでは、光源駆動部１４は、複数の検出用光源部１２を順次点灯させ、その間、光検出部３０は、対象物体Ｏｂで反射した検出光Ｌ３を受光する。従って、光検出部３０での検出結果を直接、あるいは光検出部３０を介して２つの検出用光源部１２を差動させたときの駆動電流を用いれば、位置検出部５０は、対象物体Ｏｂの位置を検出することができる。
【０１６３】
ここで、第１検出用光源部１２Ａ〜第４検出用光源部１２Ｄは、第１発光素子１２Ａ1、１２Ｂ1、１２Ｃ1、１２Ｄ1〜第３発光素子１２Ａ3、１２Ｂ3、１２Ｃ3、１２Ｄ3を備えており、光源駆動部１４は、第１発光素子１２Ａ1〜１２Ｄ1のみを点灯させる第１モード、および第１発光素子１２Ａ1〜１２Ｄ1を含む複数の発光素子を点灯させる第２モードを実行可能である。また、第１検出用光源部１２Ａ〜第４検出用光源部１２Ｄの各々において、発光素子の中心光軸は並列している。このため、対象物体Ｏｂの検出空間１０Ｒを広く設定する場合には、点灯する発光素子の数を増やして出射空間を広げる一方、対象物体Ｏｂの検出空間１０Ｒを狭く設定する場合には、点灯する発光素子の数を減らして出射空間を狭めることができる。従って、光源を点灯させる電力を無駄に消費することがないので、消費電力の削減を図ることができる。特に本形態では、光源駆動部１４は、複数の発光素子のうち、１つの発光素子を点灯させる第１モードを実行可能であるため、検出空間１０Ｒを最小限まで狭めることができるので、光源を点灯させるのに消費する電力を大幅に削減することができる。また、検出光Ｌ２の出射空間（検出空間１０Ｒ）が可変であるため、特定の狭い空間内の対象物体Ｏｂのみを検出することもできる。
【０１６４】
また、本形態では、２つの検出用光源部１２での差動、あるいは検出用光源部１２と参照用光源１２Ｒとの差動を利用しているため、環境光等の影響を自動的に補正することができる。さらに、検出光Ｌ２は赤外光であるため、視認されない。従って、本形態の光学式位置検出装置１０Ｂを表示装置に適用した場合でも表示を妨げない等、光学式位置検出装置１０Ｂを各種機器に用いることができる。
【０１６５】
［実施の形態３に係る位置検出機能付き機器１の具体例］
図１７を参照して、位置検出機能付き機器１の視認面構成部材４０としてスクリーンを用い、位置検出機能付き機器１を位置検出機能付きスクリーン装置として構成した例を説明する。
【０１６６】
図１７は、本発明実施の形態３に係る位置検出機能付き機器１の具体例（位置検出機能付きスクリーン装置）の説明図であり、図１７（ａ）、（ｂ）は、位置検出機能付きスクリーン装置を斜め上からみた様子を模式的に示す説明図、および横方向からみた様子を模式的に示す説明図である。なお、本形態の位置検出機能付き機器１（位置検出機能付きスクリーン装置）において、光学式位置検出装置１０Ｃの構成は、図１６を参照して説明した構成と同様であるため、共通する部分については同一の符号を付してそれらの説明を省略する。
【０１６７】
図１７（ａ）、（ｂ）に示す位置検出機能付きスクリーン装置８（位置検出機能付き機器１）は、図９を参照した位置検出機能付きスクリーン装置８と略同様、画像投射装置２５０（画像生成装置）から画像が投射されるスクリーン８０（視認面構成部材４０）と、図１６を参照して説明した光学式位置検出装置１０Ｃとを備えている。従って、位置検出機能付きスクリーン装置８では、スクリーン８０において画像が投射されるスクリーン面８ａによって、情報が視認される視認面４１が構成されている。
【０１６８】
かかる位置検出機能付きスクリーン装置８において、光学式位置検出装置１０Ｃは、スクリーン８０のスクリーン面８ａの側（視認面４１の側）に、検出光Ｌ２を出射する位置検出用の光源装置１１と、対象物体Ｏｂで反射した検出光Ｌ３を検出する光検出部３０とを備えており、光源装置１１は、複数の検出用光源部１２（第１検出用光源部１２Ａ〜第４検出用光源部１２Ｄ）と、参照用光源１２Ｒとを備えている。ここで、複数の検出用光源部１２は、スクリーン８０の４つの角部分の各々に配置されており、検出用光源部１２は、スクリーン８０（視認面構成部材４０）の視認面４１に沿うように検出光Ｌ２を出射する。また、光検出部３０は、検出空間１０Ｒの対象物体Ｏｂで反射した検出光Ｌ３をスクリーン８０（視認面構成部材４０）の視認面４１側で検出する。
【０１６９】
このように構成した位置検出機能付きスクリーン装置８において、検出空間１０Ｒは、スクリーン装置８に対する法線方向からみたとき四角形の領域であり、スクリーン装置８において画像投射装置２５０によって画像が投射される領域（画像表示領域２０Ｒ）と重なっている。このため、本形態の位置検出機能付きスクリーン装置８では、例えば、スクリーン８０に投射された画像の一部に指先等の対象物体Ｏｂを接近させれば、かかる対象物体Ｏｂの位置を画像の切り換え指示等といった入力情報として利用することができる。その際、検出空間１０ＲのＺ軸方向のサイズを切り換えれば、対象物体Ｏｂ（指先等）がスクリーン８０（視認面４１）に接している場合の検出と、対象物体Ｏｂがスクリーン８０から離間している場合の検出とを別々に行なうことができる。
【０１７０】
なお、本形態では、位置検出機能付きスクリーン装置８として、画像投射装置２５０から画像が投射される投射型表示装置用のスクリーン装置を説明したが、電子黒板用のスクリーンに光学式位置検出装置１０Ａを設けて電子黒板用の位置検出機能付きスクリーン装置を構成してもよい。また、実施の形態３に係る光学式位置検出装置１０Ｃについても、実施の形態１と同様、位置検出機能付き直視型表示装置１００、位置検出機能付きウインドウ４００あるいは位置検出機能付きアミューズメント装置５００に用いてもよい。
【０１７１】
［他の実施形態］
上記実施の形態において、第１モードでは、複数の発光素子のうちの１部の発光素子を点灯させ、第２モードでは、第１モードで点灯する発光素子および第１モードとは別の発光素子を同時に点灯させたが、第１モードでは、複数の発光素子のうちの１部の発光素子を点灯させ、第２モードでは、第１モードで点灯した発光素子とは別の発光素子のみを点灯させてもよい。このように構成した場合でも、発光素子の位置によって検出空間のサイズを切り換えることができる。
【０１７２】
上記実施の形態では、位置検出用光源部１２の同士を差動させる際、複数の位置検出用光源部１２のうちの１つと、他の１つとを交互に点灯させたが、複数の位置検出用光源部１２のうちの２つと、他の２つを交互に点灯させてもよい。
【０１７３】
また、上記実施の形態では、位置検出用光源部１２と参照用光源１２Ｒとを差動させる際、複数の位置検出用光源部１２のうちの１つと参照用光源１２Ｒとを交互に点灯させたが、複数の位置検出用光源部１２のうちの２つと参照用光源１２Ｒとを交互に点灯させた後、別の２つと参照用光源１２Ｒとを交互に点灯させてもよい。
【符号の説明】
【０１７４】
１・・位置検出機能付き機器、８・・スクリーン装置（位置検出機能付き機器）、１０Ａ、１０Ｂ、１０Ｃ・・光学式位置検出装置、１０Ｒ・・検出空間（検出光の出射空間）、１１・・光源装置、１２・・検出用光源部、１２Ａ・・第１検出用光源部、１２Ａ1〜１２Ｄ1・・第１発光素子、１２Ａ2〜１２Ｄ2・・第２発光素子、１２Ａ3〜１２Ｄ3・・第３発光素子、１２Ｂ・・第２検出用光源部、１２Ｃ・・第３検出用光源部、１２Ｄ・・第４検出用光源部、１２Ｒ・・参照用光源、３０・・光検出部、４０・・視認面構成部材、４１・・視認面、５０・・位置検出部、５２・・Ｘ座標検出部、５３・・Ｚ座標検出部、８０・・スクリーン（視認面構成部材）、１００・・位置検出機能付き直視型表示装置（位置検出機能付き機器）、２００・・位置検出機能付き投射型表示装置（位置検出機能付き機器）、４００・・位置検出機能付きウインドウ（位置検出機能付き機器）、５００・・位置検出機能付きアミューズメント機器（位置検出機能付き機器）、５２０・・基盤（視認面構成部材）、Ｏｂ・・対象物体
【図３】
0005471778.tif 000002
【図４】
0005471778.tif 000003
【図５】
0005471778.tif 000004
【図６】
0005471778.tif 000005
【図７】
0005471778.tif 000006
【図８】
0005471778.tif 000007
【図９】
0005471778.tif 000008
【図１０】
0005471778.tif 000009
【図１１】
0005471778.tif 000010
【図１２】
0005471778.tif 000011
【図１３】
0005471778.tif 000012
【図１４】
0005471778.tif 000013
【図１５】
0005471778.tif 000014
【図１６】
0005471778.tif 000015
【図１７】
0005471778.tif 000016
【図１】
0005471778.tif 000017
【図２】
0005471778.tif 000018